(57)【要約】  ＭＩＰ登録／登録抹消方法であって、以下を含む。オブジェクトＭＩＰのＦＡに属する物理エンティティは、取得されたモバイル端末の識別子およびアンカープロキシモバイルノードのアドレス情報に基づいて、アンカープロキシモバイルノードに、モバイル端末の識別子を含むメッセージを送信する。オブジェクトＭＩＰのＦＡに属する物理エンティティが、アンカープロキシモバイルノードから返信される信任状に基づいて、ＭＩＰ登録または登録抹消の処理を行うか、または、アンカープロキシモバイルノードが、自身に保存している信任状に基づいて、ＭＩＰ登録または登録抹消の処理を行う。そして、ＭＩＰ登録または登録抹消システムは、モバイル端末のＭＩＰクライアントに代わってＭＩＰ登録または登録抹消の要求を送信するエンティティが変更されたときに、モバイル端末のＭＩＰ登録または登録抹消の処理を行なうことを目的としている。
2009505534.tif 000002
【特許請求の範囲】
【請求項１】
モバイルインターネットプロトコル（以下、ＭＩＰ）の登録または登録抹消方法であって、
移動先のＭＩＰのフォーリンエージェント（以下、ＦＡ）が存在する物理エンティティは、モバイル端末の識別子（以下、ＭＴ ＩＤ）を含むメッセージを、取得されたアンカープロキシモバイルノードのアドレス情報に基づいて、該アンカープロキシモバイルノードに送信し、
上記ＭＴ ＩＤを含むメッセージの関連情報に基づいて、ＭＩＰ登録または登録抹消を実施することを特徴とするＭＩＰ登録または登録抹消方法。
【請求項２】
上記移動先のＭＩＰのＦＡが存在する物理エンティティは、上記ＭＴ ＩＤおよび上記アンカープロキシモバイルノードのアドレス情報を取得した後、上記ＭＴ ＩＤに対応するモバイル端末の信任状（credential）が、上記移動先のＭＩＰのＦＡが存在する物理エンティティに保存されているか否かを調べ、
上記移動先のＭＩＰのＦＡが存在する物理エンティティは、上記信任状が上記移動先のＭＩＰのＦＡが存在する物理エンティティに保存されている場合、上記信任状に基づいて上記モバイル端末のＭＩＰ登録または登録抹消を実施し、上記信任状が上記移動先のＭＩＰのＦＡが存在する物理エンティティに保存されていない場合、上記ＭＴ ＩＤを含む上記メッセージの関連情報に基づいて、ＭＩＰ登録または登録抹消を実施することをさらに含むことを特徴とする請求項１に記載のＭＩＰ登録または登録抹消方法。
【請求項３】
上記ＭＴ ＩＤを含む上記メッセージは、信任状を要求するメッセージであって、
上記アンカープロキシモバイルノードは、上記ＭＴ ＩＤを含む、上記信任状を要求するメッセージを受信した後、上記ＭＴ ＩＤに対応する信任状を探索し、
上記アンカープロキシモバイルノードは、上記移動先のＭＩＰのＦＡが存在する物理エンティティに、上記信任状を送信し、
上記移動先のＭＩＰのＦＡが存在する物理エンティティは、上記信任状を受信した後、該信任状に基づいて、ＭＩＰ登録または登録抹消を実施することをさらに含むことを特徴とする請求項１に記載のＭＩＰ登録または登録抹消方法。
【請求項４】
上記信任状は、上記移動先のＭＩＰのＦＡが存在する物理エンティティと、上記アンカープロキシモバイルノードとの間で確立されたセキュリティチャンネル（security channel）を介して、上記移動先のＭＩＰのＦＡが存在する物理エンティティに送信されることを特徴とする請求項３に記載のＭＩＰ登録または登録抹消方法。
【請求項５】
上記信任状を要求するメッセージは、上記ＭＴ ＩＤおよびトランザクションＩＤを含むものであって、
上記移動先のＭＩＰのＦＡが存在する物理エンティティは、上記信任状を要求するメッセージと、上記トランザクションＩＤとの対応関係を保存し、
上記アンカープロキシモバイルノードは、上記アンカープロキシモバイルノードが上記移動先のＭＩＰのＦＡが存在する物理エンティティに上記信任状を送信したとき、上記移動先のＭＩＰのＦＡが存在する物理エンティティに上記トランザクションＩＤを送信することをさらに含み、
上記移動先のＭＩＰのＦＡが存在する物理エンティティが、上記信任状およびトランザクションＩＤを受信した後であって、上記モバイル端末のＭＩＰ登録または登録抹消を実施する前において、上記移動先のＭＩＰのＦＡが存在する物理エンティティは、上記トランザクションＩＤに対応する上記信任状を要求するメッセージを探索し、上記移動先のＭＩＰのＦＡが存在する物理エンティティは、上記探索した信任状を要求するメッセージに基づいて、該信任状を要求するメッセージに含まれる上記ＭＴ ＩＤを探索し、上記信任状と上記ＭＴ ＩＤとの対応関係を決定することをさらに含むことを特徴とする請求項３に記載のＭＩＰ登録または登録抹消方法。
【請求項６】
上記ＭＴ ＩＤを含む上記メッセージは、ＭＩＰ登録または登録抹消の開始要求メッセージであって、
上記アンカープロキシモバイルノードは、ＭＩＰ登録または登録抹消の開始を要求し、また、上記ＭＴ ＩＤを含む上記メッセージを受信した後、上記ＭＴ ＩＤに対応する信任状を探索し、該信任状に基づいて、上記ＭＴ ＩＤに対応する上記モバイル端末の、ＭＩＰ登録または登録抹消を実施することを特徴とする請求項１に記載のＭＩＰ登録または登録抹消方法。
【請求項７】
上記移動先のＭＩＰのＦＡが存在する物理エンティティが上記アンカープロキシモバイルノードのアドレス情報を取得することには、
serving 基地局（以下、ＢＳ）は、上記モバイル端末から送信される、上記ＭＴ ＩＤおよび移動先のＢＳの識別子を含むハンドオーバ要求を受信した後、該移動先のＢＳの識別子に対応する移動先のＢＳに、上記ＭＴ ＩＤおよび上記アンカープロキシモバイルノードのアドレス情報を送信し、
上記移動先のＢＳは、上記モバイル端末から送信される、レンジング（Ranging）要求（以下、ＲＲ）を受信した後、上記モバイル端末が上記移動先のＢＳに切り替わったことを示す通知であって、上記ＭＴ ＩＤおよび上記アンカープロキシモバイルノードのアドレス情報を含む通知を、上記移動先のＭＩＰのＦＡが存在する物理エンティティに送信し、
上記移動先のＭＩＰのＦＡが存在する物理エンティティは、上記通知を受信し、上記ＭＴ ＩＤおよび上記アンカープロキシモバイルノードのアドレス情報を取得することを含むことを特徴とする請求項１から６のいずれか１項に記載のＭＩＰ登録または登録抹消方法。
【請求項８】
上記移動先のＭＩＰのＦＡが存在する物理エンティティが上記アンカープロキシモバイルノードのアドレス情報を取得することには、
上記移動先のＢＳは、上記モバイル端末から送信される、上記ＭＴ ＩＤおよびserving ＢＳの識別子を含むＲＲを受信した後、該serving ＢＳの識別子に基づいて、該serving ＢＳに、上記アンカープロキシモバイルノードのアドレス情報の取得要求であって、上記ＭＴ ＩＤを含む該取得要求を送信し、
上記serving ＢＳは、上記要求を受信した後、上記ＭＴ ＩＤに対応する上記アンカープロキシモバイルノードのアドレス情報を探索し、該アンカープロキシモバイルノードのアドレス情報を、上記移動先のＢＳに送信し、
上記移動先のＢＳは、上記アンカープロキシモバイルノードのアドレス情報を受信した後、上記モバイル端末が上記移動先のＢＳに切り替わったことを示す通知であって、上記ＭＴ ＩＤおよび上記アンカープロキシモバイルノードのアドレス情報を含む通知を、上記移動先のＭＩＰのＦＡが存在する物理エンティティに送信し、
上記移動先のＭＩＰのＦＡが存在する物理エンティティは、上記通知を受信し、上記移動先のＭＩＰのＦＡが存在する物理エンティティは、上記アンカープロキシモバイルノードのアドレス情報および上記ＭＴ ＩＤを取得することを含むことを特徴とする請求項１から６のいずれか１項に記載のＭＩＰ登録または登録抹消方法。
【請求項９】
上記アンカープロキシモバイルノードおよびオーセンティケータ（authenticator）が同一のエンティティに配置され、
上記移動先のＢＳは、上記ＭＴ ＩＤ、並びに、上記アンカープロキシモバイルノードのアドレス情報および上記オーセンティケータのアドレス情報の少なくともいずれかを、上記serving ＢＳから取得した後、上記ＭＴ ＩＤ、並びに、上記アンカープロキシモバイルノードのアドレス情報および上記オーセンティケータのアドレス情報の少なくともいずれかを含む認証キー（以下、ＡＫ）要求を、上記移動先のＭＩＰのＦＡが存在する物理エンティティに送信することを特徴とする請求項１から６のいずれか１項に記載のＭＩＰ登録または登録抹消方法。
【請求項１０】
上記アンカープロキシモバイルノードは、上記モバイル端末の、移動元（home）serving ＭＩＰのＦＡが存在する物理エンティティ、または、上記移動先のＭＩＰのＦＡが存在する物理エンティティから送信される通知であって、上記ＭＩＰのＦＡが存在する物理エンティティが変更されたことを示し、上記ＭＴ ＩＤおよび上記移動先のＭＩＰのＦＡが存在する物理エンティティのアドレス情報を含む通知を受信し、
上記アンカープロキシモバイルノードは、上記アンカープロキシモバイルノードのアドレス情報を、上記移動先のＭＩＰのＦＡが存在する物理エンティティに送信することをさらに含むことを特徴とする請求項１から６のいずれか１項に記載のＭＩＰ登録または登録抹消方法。
【請求項１１】
モバイルインターネットプロトコル（以下、ＭＩＰ）の登録または登録抹消システムであって、移動先のＭＩＰのフォーリンエージェント（以下、ＦＡ）が存在する物理エンティティ、および、アンカープロキシモバイルノードを含み、
上記移動先のＭＩＰのＦＡが存在する物理エンティティは、上記アンカープロキシモバイルノードのアドレス情報に基づいて、該アンカープロキシモバイルノードに、モバイル端末の識別子（以下、ＭＴ ＩＤ）を含む信任状を要求するメッセージを送信し、上記アンカープロキシモバイルノードから返信される上記信任状を用いて、ＭＩＰ登録または登録抹消を実施するように構成され、
上記アンカープロキシモバイルノードは、上記移動先のＭＩＰのＦＡが存在する物理エンティティから送信される、上記信任状を要求するメッセージに含まれる上記ＭＴ ＩＤに基づいて上記信任状を探索し、該信任状を上記移動先のＭＩＰのＦＡが存在する物理エンティティに返信するように構成されていることを特徴とするＭＩＰ登録または登録抹消システム。
【請求項１２】
上記移動先のＭＩＰのＦＡが存在する物理エンティティは、さらに、上記モバイル端末の、上記移動元のＭＩＰのＦＡが存在する物理エンティティが、上記移動先のＭＩＰのＦＡが存在する物理エンティティに切り替わったことが検出された後、上記モバイル端末の、上記移動元のＭＩＰのＦＡが存在する物理エンティティが、上記移動先のＭＩＰのＦＡが存在する物理エンティティに切り替わったことを示す通知であって、上記ＭＴ ＩＤおよび上記移動先のＭＩＰのＦＡが存在する物理エンティティのアドレス情報を含む通知を、上記アンカープロキシモバイルノードに送信するように構成され、
上記アンカープロキシモバイルノードは、さらに、上記移動先のＭＩＰのＦＡが存在する物理エンティティから送信される、上記モバイル端末の、上記移動元のＭＩＰのＦＡが存在する物理エンティティが切り替わったことを示す上記通知に基づいて、上記移動先のＭＩＰのＦＡが存在する物理エンティティに、上記アンカープロキシモバイルノードのアドレス情報を送信するように構成されていることを特徴とする請求項１１に記載のＭＩＰ登録または登録抹消システム。
【請求項１３】
上記移動先のＭＩＰのＦＡが存在する物理エンティティに、上記ＭＴ ＩＤおよび上記アンカープロキシモバイルノードのアドレス情報を送信するように構成されている移動先のＢＳをさらに含むことを特徴とする請求項１１に記載のＭＩＰ登録または登録抹消システム。
【請求項１４】
上記モバイル端末の、上記移動元のＭＩＰのＦＡが存在する物理エンティティが変更されたことが検出された後、上記移動元のＭＩＰのＦＡが存在する物理エンティティが変更されたことを示す通知であって、上記ＭＴ ＩＤおよび上記移動先のＭＩＰのＦＡが存在する物理エンティティのアドレス情報を含む通知を、上記アンカープロキシモバイルノードに送信するように構成されている、serving ＭＩＰのＦＡが存在する物理エンティティをさらに含み、
上記アンカープロキシモバイルノードは、さらに、上記serving ＭＩＰのＦＡが存在する物理エンティティから送信される、上記モバイル端末の、上記移動元のＭＩＰのＦＡが存在する物理エンティティが変更されたことを示す通知であって、上記移動先のＭＩＰのＦＡが存在する物理エンティティのアドレス情報を含む通知に基づいて、上記移動先のＭＩＰのＦＡが存在する物理エンティティに、上記アンカープロキシモバイルノードのアドレス情報を送信するように構成されていることを特徴とする請求項１１に記載のＭＩＰ登録または登録抹消システム。
【請求項１５】
モバイルインターネットプロトコル（以下、ＭＩＰ）の登録または登録抹消システムであって、移動先のＭＩＰのフォーリンエージェント（以下、ＦＡ）が存在する物理エンティティ、および、アンカープロキシモバイルノードを含み、
上記移動先のＭＩＰのＦＡが存在する物理エンティティは、上記アンカープロキシモバイルノードのアドレス情報に基づいて、該アンカープロキシモバイルノードに、モバイル端末の識別子（以下、ＭＴ ＩＤ）を含む信任状を要求するメッセージを送信し、上記アンカープロキシモバイルノードから返信される上記信任状を用いて、ＭＩＰ登録または登録抹消を実施するように構成され、
上記アンカープロキシモバイルノードは、上記移動先のＭＩＰのＦＡが存在する物理エンティティから送信される、上記信任状を要求するメッセージに含まれる上記ＭＴ ＩＤに基づいて、上記信任状を探索し、該信任状を上記移動先のＭＩＰのＦＡが存在する物理エンティティに返信するように構成されていることを特徴とするＭＩＰ登録または登録抹消システム。
【請求項１６】
上記移動先のＭＩＰのＦＡが存在する物理エンティティは、さらに、上記モバイル端末の、上記移動元のＭＩＰのＦＡが存在する物理エンティティが、上記移動先のＭＩＰのＦＡが存在する物理エンティティに切り替わったことが検出された後、上記モバイル端末の、上記移動元のＭＩＰのＦＡが存在する物理エンティティが、上記移動先のＭＩＰのＦＡが存在する物理エンティティに切り替わったことを示す通知であって、上記ＭＴ ＩＤおよび上記移動先のＭＩＰのＦＡが存在する物理エンティティのアドレス情報を含む通知を、上記アンカープロキシモバイルノードに送信するように構成され、
上記アンカープロキシモバイルノードは、さらに、上記移動先のＭＩＰのＦＡが存在する物理エンティティから送信される、上記モバイル端末の、上記移動元のＭＩＰのＦＡが存在する物理エンティティが切り替わったことを示す上記通知に基づいて、上記移動先のＭＩＰのＦＡが存在する物理エンティティに、上記アンカープロキシモバイルノードのアドレス情報を送信するように構成されていることを特徴とする請求項１５に記載のＭＩＰ登録または登録抹消システム。
【請求項１７】
上記移動先のＭＩＰのＦＡが存在する物理エンティティに、上記ＭＴ ＩＤおよび上記アンカープロキシモバイルノードのアドレス情報を送信するように構成されている移動先のＢＳをさらに含むことを特徴とする請求項１５に記載のＭＩＰ登録または登録抹消システム。
【請求項１８】
上記モバイル端末の、上記移動元のＭＩＰのＦＡが存在する物理エンティティが変更されたことが検出された後、上記移動元のＭＩＰのＦＡが存在する物理エンティティが変更されたことを示す通知であって、上記ＭＴ ＩＤおよび上記移動先のＭＩＰのＦＡが存在する物理エンティティのアドレス情報を含む通知を、上記アンカープロキシモバイルノードに送信するように構成されている、serving ＭＩＰのＦＡが存在する物理エンティティをさらに含み、
上記アンカープロキシモバイルノードは、さらに、上記serving ＭＩＰのＦＡが存在する物理エンティティから送信される、上記モバイル端末の、上記移動元のＭＩＰのＦＡが存在する物理エンティティが変更されたことを示す通知であって、上記移動先のＭＩＰのＦＡが存在する物理エンティティのアドレス情報を含む通知に基づいて、上記移動先のＭＩＰのＦＡが存在する物理エンティティに、上記アンカープロキシモバイルノードのアドレス情報を送信するように構成されていることを特徴とする請求項１５に記載のＭＩＰ登録または登録抹消システム。
【発明の詳細な説明】
【発明の詳細な説明】
【０００１】
〔技術分野〕
本発明は、モバイルインターネット技術に関するものであり、特に、モバイルインターネットプロトコル（ＭＩＰ：Mobile Internet Protocol）の登録または登録抹消を行う技術に関する。
【０００２】
〔背景技術〕
ＭＩＰは、モバイルノードに情報を送信するための解決策である。ＭＩＰは、モバイルノードに採用されている通信媒体から独立している。ＭＩＰによれば、モバイルノードは、通信が切断されない、または、アプリケーションプログラムが再起動しないという条件で、ロケーションを移動することができる。同時に、ＭＩＰは、モバイルノードが、恒久的なＩＰアドレスを介して、いかなるリンクとの接続をも可能とするＩＰルート機構を提供する。ＭＩＰによれば、モバイルノードが、ホームリンクからフォーリンリンクへ切り替わり、フォーリンエージェント（ＦＡ：Foreign Agent）から送信されたエージェントブロードキャストメッセージを受信したとき、モバイルノードは該エージェントブロードキャストメッセージからCare-ofアドレス（ＣｏＡ：Care-of Address）を取得する。モバイルノードは、ホームエージェント（ＨＡ：Home Agent）にＣｏＡを通知するために、自身のＨＡへのＭＩＰ登録を開始する。同様に、モバイルノードがフォーリンリンクからホームリンクに切り替わるか、または、ネットワーク接続を異常に切断したとき、ＨＡにＣｏＡの削除を通知するために、ＭＩＰ登録抹消が開始される。
【０００３】
集中型（centralized）のWorld Interoperability for Microwave Access（ＷＩＭＡＸ）システムは、ＭＩＰを実装するための２つの異なるモード、つまり、クライアントＭＩＰ（ＣＭＩＰ：Client MIP）モードおよびプロキシＭＩＰ（ＰＭＩＰ：Proxy MIP）モードを提供する。ＣＭＩＰモードは、従来のＭＩＰモードと等しい。つまり、モバイルノードの全ての機能はモバイル端末に実装されており、ＭＩＰ登録または登録抹消は、モバイル端末に設けられているＭＩＰクライアントによって開始される。このモードでは、ＭＩＰ登録または登録抹消は、モバイル端末にとって透過的ではない。ＰＭＩＰモードでは、ＭＩＰクライアントはモバイル端末から分離しており、アクセスサービスネットワーク（ＡＳＮ：Accessing Service Network）の、例えば、プロキシモバイルノードなどの論理ネットワークエンティティ内に設けられている。このモードでは、ＭＩＰ登録または登録抹消は、フォーリンリンクがあるＡＳＮ内のプロキシモバイルノードによって開始される。それゆえ、ＭＩＰ登録または登録抹消は、モバイル端末にとって透過的である。モバイル端末にとっては、常にホームリンク上で動作する。プロキシモバイルノードが、複数のモバイル端末に代わって、ＭＩＰ登録または登録抹消を開始してもよい。
【０００４】
ＣＭＩＰモードまたはＰＭＩＰモードでは、ＭＩＰ登録または登録抹消を実施するために、ＭＩＰクライアントとＨＡとの間で、モバイル端末毎に、信任状（credential）が策定される。信任状は、モバイル端末のＨＡ、および、アンカー（anchor）プロキシモバイルノードに保存される。アンカープロキシモバイルノードとは、モバイル端末の信任状を保存するために特別に使用されるプロキシモバイルノードである。アンカープロキシモバイルノードおよび移動元の基地局（ＢＳ：Base Station）に対応するプロキシモバイルノードは、同一のエンティティまたは異なるエンティティ内に配置される。モバイル端末のＭＩＰ登録または登録抹消は、モバイル端末の移動元のＢＳに対応するプロキシモバイルノード、または、アンカープロキシモバイルノードによって開始される。モバイル端末の移動元のＢＳに対応するプロキシモバイルノードおよびアンカープロキシモバイルノードが同じエンティティ内に配置されていない場合、モバイル端末の移動元のＢＳに対応するプロキシモバイルノードは、アンカープロキシモバイルノードから、モバイル端末の信任状を取得し、モバイル端末のＭＩＰ登録または登録抹消を開始する。
【０００５】
ＭＩＰ登録または登録抹消の手順を以下に示す。ＭＩＰクライアントが、取得された、または、自身が保存しているモバイル端末の信任状に基づいて、モバイル端末のメッセージ認証コード（ＭＡＣ：Message Authentication Code）を算出する。ＭＩＰクライアントは、アンカープロキシモバイルノード、または、モバイル端末の移動元のＢＳに対応するプロキシモバイルノードに存在する。そして、ＭＩＰクライアントは、上記算出したＭＡＣおよびモバイル端末の識別子（ＭＴ ＩＤ）を、登録または登録抹消要求メッセージに含めて、該要求メッセージをＨＡに送信する。ＨＡは、登録または登録抹消要求メッセージを受信すると、まず、モバイル端末の信任状を探索し、取得する。そして、ＨＡは、信任状に基づいて、登録または登録抹消要求メッセージのＭＡＣを算出する。そして、ＨＡは、上記算出したＭＡＣと、登録または登録抹消要求メッセージに含まれるＭＡＣとをマッチングさせる。上記算出したＭＡＣと、登録または登録抹消要求メッセージに含まれるＭＡＣとが一致すれば、ＨＡは、ＭＩＰクライアントに、登録または登録抹消応答メッセージを送信する。登録または登録抹消応答メッセージは、ＭＴ ＩＤ、および、モバイル端末の信任状に基づいて算出した、登録または登録抹消応答メッセージのＭＡＣとを含んでいる。ＭＩＰクライアントは、登録または登録抹消応答メッセージを受信すると、まず、登録または登録抹消応答メッセージに含まれるＭＴ ＩＤに基づいて、モバイル端末の信任状を探索し、該信任状に基づいて、登録または登録抹消応答メッセージのＭＡＣを算出する。そして、ＭＩＰクライアントは、該算出したＭＡＣと、登録または登録抹消応答メッセージに含まれるＭＡＣとをマッチングさせる。上記算出したＭＡＣと、登録または登録抹消応答メッセージに含まれるＭＡＣとが一致すれば、ＭＩＰクライアントは、登録または登録抹消応答メッセージを受諾する。同時に、ＭＩＰ登録または登録抹消は完了する。
【０００６】
ＷＩＭＡＸに関する公の標準および提案では、ＭＩＰクライアントは、ＰＭＩＰモードではプロキシモバイルノード内に配置されている。各プロキシモバイルノードは、異なるネットワークアーキテクチャに従って、１または複数のＢＳに対応している。図１および２に示すように、集中型ＷＩＭＡＸネットワークアーキテクチャでは、ＡＳＮ１のようなＡＳＮに対して、ＢＳ１、ＢＳ３、ＢＳ５のような複数のＢＳが、１つのプロキシモバイルノードを共有しており、そのプロキシモバイルノードはＡＳＮゲートウェイ（ＧＷ）に配置することができる。図３に示すように、分散型（distributed）ＷＩＭＡＸネットワークアーキテクチャでは、１つのプロキシモバイルノードは１つのＢＳ内に配置され、アンカープロキシモバイルノードは、ＭＩＰ登録または登録抹消を開始するために使用されるモバイル端末の信任状を保存する必要があり、一般的に、ＡＳＮの論理ネットワークエンティティ、つまりオーセンティケータ（Authenticator）、および、アンカープロキシノードは、同じ物理エンティティ内に配置される。
【０００７】
図１から３に示すネットワークアーキテクチャにおける、モバイル端末のハンドオーバにより生じる問題を以下に示す。モバイル端末が移動先（destination）ＢＳに切り替わった後、ハンドオーバ後のモバイル端末の移動先のＢＳに対応するプロキシモバイルノードは、ハンドオーバ前のモバイル端末のserving ＢＳに対応するプロキシモバイルノードとは異なる場合がある。なぜならば、ハンドオーバ後のモバイル端末の移動先のＢＳに対応するプロキシモバイルノードは、モバイル端末の信任状を保存していないので、モバイル端末の登録または登録抹消を開始することができないからである。さらに、モバイル端末が他のＢＳに切り替わらなくても、ＭＩＰ登録および登録抹消の開始のために使用されるプロキシモバイルノードは、リソースの最適化または他の理由のために変更される。変更されたプロキシモバイルノードは、モバイル端末の信任状を保存しておらず、モバイル端末の登録または登録抹消は開始されない。例えば、図４に示すように、ＢＳがプロキシモバイルノード１に対応している。プロキシモバイルノード１は、プロキシモバイルノード２を介してＨＡと接続している。それゆえ、プロキシモバイルノード２は、モバイル端末に代わって、ＨＡへのＭＩＰ登録または登録抹消を開始する。つまり、プロキシモバイルノード２はモバイル端末の信任状を保存する。その後、プロキシモバイルノード１は、リソース最適化のために、ＨＡに直接接続するように構成される。プロキシモバイルノード１は、モバイル端末のＭＩＰ登録または登録抹消を開始するために、モバイル端末の信任状を取得する必要がある。従来方法では、上記問題の解決策は与えられていない。
【０００８】
〔発明の開示〕
本発明に係る実施例では、ＭＩＰクライアントに代わってＭＩＰ登録または登録抹消を開始するために使用されるエンティティが変更されたとき、ＭＩＰ登録または登録抹消の開始を可能とする、モバイルインターネットプロトコルの登録または登録抹消を行う方法およびシステムを提供する。
【０００９】
本発明の技術的解決策を以下に示す。
【００１０】
プロキシモバイルノードは、論理機能エンティティであり、実際には、モバイル端末のＭＩＰクライアントに代わって、ＭＩＰ登録または登録抹消の要求を開始するプロキシモバイルノードの機能は、ＡＳＮ ＧＷのような物理エンティティにより実装されているので、ＭＩＰクライアントのＦＡは該物理エンティティに存在する。それゆえ、本発明では、モバイル端末のＭＩＰクライアントに代わってＭＩＰ登録または登録抹消を開始するエンティティが変更される前における、モバイル端末のＭＩＰクライアントに代わってＭＩＰ登録または登録抹消を開始するエンティティを、以下では、serving ＭＩＰのＦＡが存在する物理エンティティと称する。モバイル端末のＭＩＰクライアントに代わってＭＩＰ登録または登録抹消を開始するエンティティが変更された後における、モバイル端末のＭＩＰクライアントに代わってＭＩＰ登録または登録抹消を開始するエンティティを、以下では、移動先のＭＩＰのＦＡが存在する物理エンティティと称する。
【００１１】
モバイルインターネットプロトコル（ＭＩＰ）の登録または登録抹消の方法は、以下を含む。
【００１２】
移動先のＭＩＰのフォーリンエージェント（ＦＡ）が存在する物理エンティティが、モバイル端末の識別子（ＭＴ ＩＤ）を含むメッセージを、取得されたアンカープロキシモバイルノードのアドレス情報に基づいて、該アンカープロキシモバイルノードに送信し、上記ＭＴ ＩＤを含む関連情報に基づいて、ＭＩＰ登録または登録抹消を実施する。
【００１３】
好ましくは、本方法はさらに以下を含む。
【００１４】
上記移動先のＭＩＰのＦＡが存在する物理エンティティは、上記ＭＴ ＩＤおよび上記アンカープロキシモバイルノードのアドレス情報を取得した後、上記ＭＴ ＩＤに対応するモバイル端末の信任状が、上記移動先のＭＩＰのＦＡが存在する物理エンティティに保存されているか否かを調べ、上記移動先のＭＩＰのＦＡが存在する物理エンティティは、上記信任状が移動先のＭＩＰのＦＡが存在する物理エンティティに保存されている場合、上記信任状に基づいて上記モバイル端末のＭＩＰ登録または登録抹消を実施し、上記信任状が上記移動先のＭＩＰのＦＡが存在する物理エンティティに保存されていない場合、上記ＭＴ ＩＤを含む上記メッセージの関連情報に基づいて、ＭＩＰ登録または登録抹消を実施する。
【００１５】
好ましくは、上記ＭＴ ＩＤを含む上記メッセージは信任状を要求するメッセージであり、本方法はさらに以下を含む。
【００１６】
上記アンカープロキシモバイルノードは、上記ＭＴ ＩＤを含む、上記信任状を要求するメッセージを受信した後、上記ＭＴ ＩＤに対応する信任状を探索し、上記アンカープロキシモバイルノードは、上記移動先のＭＩＰのＦＡが存在する物理エンティティに、上記信任状を送信し、上記移動先のＭＩＰのＦＡが存在する物理エンティティは、上記信任状を受信した後、該信任状に基づいて、ＭＩＰ登録または登録抹消を実施する。
【００１７】
好ましくは、上記信任状は、上記移動先のＭＩＰのＦＡが存在する物理エンティティと、アンカープロキシモバイルノードとの間で確立されたセキュリティチャンネル（security channel）を介して、上記移動先のＭＩＰのＦＡが存在する物理エンティティに送信される。
【００１８】
好ましくは、上記信任状を要求するメッセージは、上記ＭＴ ＩＤおよびトランザクションＩＤを含み、本方法はさらに以下を含む。
【００１９】
上記移動先のＭＩＰのＦＡが存在する物理エンティティは、上記信任状を要求するメッセージと、トランザクションＩＤとの対応関係を保存する。
【００２０】
本方法は、さらに、上記アンカープロキシモバイルノードは、上記アンカープロキシモバイルノードが上記移動先のＭＩＰのＦＡが存在する物理エンティティに上記信任状を送信したとき、上記移動先のＭＩＰのＦＡが存在する物理エンティティに上記トランザクションＩＤを送信することを含む。
【００２１】
上記移動先のＭＩＰのＦＡが存在する物理エンティティが、上記信任状およびトランザクションＩＤを受信した後であって、上記モバイル端末のＭＩＰ登録または登録抹消が実施する前において、本方法はさらに以下を含む。
【００２２】
上記移動先のＭＩＰのＦＡが存在する物理エンティティは、上記トランザクションＩＤに対応する上記信任状を要求するメッセージを探索する。そして、上記移動先のＭＩＰのＦＡが存在する物理エンティティは、上記探索した信任状を要求するメッセージに基づいて、該信任状を要求するメッセージに含まれる上記ＭＴ ＩＤを探索し、上記信任状と上記ＭＴ ＩＤとの対応関係を決定する。
【００２３】
好ましくは、上記ＭＴ ＩＤ含む上記メッセージは、ＭＩＰ登録または登録抹消の開始要求メッセージであり、上記アンカープロキシモバイルノードは、ＭＩＰ登録または登録抹消の開始を要求し、また、上記ＭＴ ＩＤを含む上記メッセージを受信した後、上記ＭＴ ＩＤに対応する信任状を探索し、該該信任状に基づいて、上記ＭＴ ＩＤに対応する上記モバイル端末の、ＭＩＰ登録または登録抹消を実施する。
【００２４】
好ましくは、上記移動先のＭＩＰのＦＡが存在する物理エンティティが、上記アンカープロキシモバイルノードのアドレス情報を取得する方法は、以下を含む。
【００２５】
serving 基地局（ＢＳ）は、上記モバイル端末から送信される、上記ＭＴ ＩＤおよび移動先のＢＳの識別子とを含むハンドオーバ要求を受信した後、該移動先のＢＳの識別子に対応する移動先のＢＳに、上記ＭＴ ＩＤおよび上記アンカープロキシモバイルノードのアドレス情報を送信する。
【００２６】
そして、上記移動先のＢＳは、上記モバイル端末から送信される、レンジング（Ranging）要求（ＲＲ）を受信した後、上記モバイル端末が上記移動先のＢＳに切り替わったことを示す通知であって、上記ＭＴ ＩＤおよびア上記ンカープロキシモバイルノードのアドレス情報を含む通知を、上記移動先のＭＩＰのＦＡが存在する物理エンティティに送信する。
【００２７】
そして、上記移動先のＭＩＰのＦＡが存在する物理エンティティは、上記通知を受信し、上記ＭＴ ＩＤおよび上記アンカープロキシモバイルノードのアドレス情報を取得する。
【００２８】
好ましくは、上記移動先のＭＩＰのＦＡが存在する物理エンティティが、上記アンカープロキシモバイルノードのアドレス情報を取得する方法は、以下を含む。
【００２９】
上記移動先のＢＳは、上記モバイル端末から送信される、上記ＭＴ ＩＤおよびserving ＢＳの識別子を含むＲＲを受信した後、該serving ＢＳの識別子に基づいて、該serving ＢＳに、上記アンカープロキシモバイルノードのアドレス情報の取得要求であって、上記ＭＴ ＩＤを含む該取得要求を送信する。
【００３０】
そして、上記serving ＢＳは、上記要求を受信した後、上記ＭＴ ＩＤに対応する上記アンカープロキシモバイルノードのアドレス情報を探索し、該アンカープロキシモバイルノードのアドレス情報を、上記移動先のＢＳに送信する。
【００３１】
そして、上記移動先のＢＳは、上記アンカープロキシモバイルノードのアドレス情報を受信した後、上記モバイル端末が上記移動先のＢＳに切り替わったことを示す通知であって、上記ＭＴ ＩＤおよび上記アンカープロキシモバイルノードのアドレス情報を含む通知を、上記移動先のＭＩＰのＦＡが存在する物理エンティティに送信する。
【００３２】
そして、上記移動先のＭＩＰのＦＡが存在する物理エンティティは、上記通知を受信し、上記移動先のＭＩＰのＦＡが存在する物理エンティティは、上記アンカープロキシモバイルノードのアドレス情報および上記ＭＴ ＩＤを取得する。
【００３３】
好ましくは、上記アンカープロキシモバイルノードおよびオーセンティケータが同一のエンティティに配置される。
【００３４】
そして、上記移動先のＢＳは、上記ＭＴ ＩＤ、並びに、上記アンカープロキシモバイルノードのアドレス情報および上記オーセンティケータのアドレス情報の少なくともいずれかを、上記serving ＢＳから取得した後、上記ＭＴ ＩＤ、並びに、上記アンカープロキシモバイルノードおよび上記オーセンティケータのアドレス情報の少なくともいずれかを含む認証キー（ＡＫ）要求を、上記移動先のＭＩＰのＦＡが存在する物理エンティティに送信する。
【００３５】
好ましくは、本方法はさらに以下を含む。
【００３６】
上記アンカープロキシモバイルノードは、上記モバイル端末の、移動元（home）serving ＭＩＰのＦＡが存在する物理エンティティ、または、上記移動先のＭＩＰのＦＡが存在する物理エンティティから送信される通知であって、上記ＭＩＰのＦＡが存在する物理エンティティが変更されたことを示し、上記ＭＴ ＩＤおよび上記移動先のＭＩＰのＦＡが存在する物理エンティティのアドレス情報を含む通知を受信し、上記アンカープロキシモバイルノードは、上記アンカープロキシモバイルノードのアドレス情報を、上記移動先のＭＩＰのＦＡが存在する物理エンティティに送信する。
【００３７】
移動先のＭＩＰのフォーリンエージェント（ＦＡ）が存在する物理エンティティおよびアンカープロキシモバイルノードを含むモバイルインターネットプロトコル（ＭＩＰ）の登録および登録抹消システムであって、上記移動先のＭＩＰのＦＡが存在する物理エンティティは、上記アンカープロキシモバイルノードのアドレス情報に基づいて、該アンカープロキシモバイルノードに、モバイル端末の識別子（ＭＴ ＩＤ）を含む信任状を要求するメッセージを送信し、上記アンカープロキシモバイルノードから返信される上記信任状を用いて、ＭＩＰ登録または登録抹消を実施するように構成されている。
【００３８】
そして、上記アンカープロキシモバイルノードは、上記移動先のＭＩＰのＦＡが存在する物理エンティティから送信される、上記信任状を要求するメッセージに含まれる上記ＭＴ ＩＤに基づいて上記信任状を探索し、該信任状を上記移動先のＭＩＰのＦＡが存在する物理エンティティに返信するように構成されている。
【００３９】
好ましくは、上記移動先のＭＩＰのＦＡが存在する物理エンティティは、さらに、上記モバイル端末の、上記移動元のＭＩＰのＦＡが存在する物理エンティティが、上記移動先のＭＩＰのＦＡが存在する物理エンティティに切り替わったことが検出された後、上記モバイル端末の、上記移動元のＭＩＰのＦＡが存在する物理エンティティが、上記移動先のＭＩＰのＦＡが存在する物理エンティティに切り替わったことを示す通知であって、上記ＭＴ ＩＤおよび上記移動先のＭＩＰのＦＡが存在する物理エンティティのアドレス情報を含む通知を、上記アンカープロキシモバイルノードに送信するように構成されている。
【００４０】
そして、上記アンカープロキシモバイルノードは、さらに、上記移動先のＭＩＰのＦＡが存在する物理エンティティから送信される、上記モバイル端末の、移動元のＭＩＰのＦＡが存在する物理エンティティが切り替わったことを示す通知に基づいて、上記移動先のＭＩＰのＦＡが存在する物理エンティティに、上記アンカープロキシモバイルノードのアドレス情報を、送信するように構成されている。
【００４１】
好ましくは、本システムはさらに以下を含む。
【００４２】
上記移動先のＭＩＰのＦＡが存在する物理エンティティに、上記ＭＴ ＩＤおよび上記アンカープロキシモバイルノードのアドレス情報を送信するように構成された移動先のＢＳ。
【００４３】
好ましくは、本システムはさらに以下を含む。
【００４４】
上記モバイル端末の、上記移動元のＭＩＰのＦＡが存在する物理エンティティが変更されたことが検出された後、モバイル端末の、上記移動元のＭＩＰのＦＡが存在する物理エンティティが変更されたことを示す通知であって、上記ＭＴ ＩＤおよび上記移動先のＭＩＰのＦＡが存在する物理エンティティのアドレス情報を含む通知を、上記アンカープロキシモバイルノードに送信するように構成された、serving ＭＩＰのＦＡが存在する物理エンティティ。
【００４５】
そして、上記serving ＭＩＰのＦＡが存在する物理エンティティから送信される、上記モバイル端末の、上記移動元のＭＩＰのＦＡが存在する物理エンティティが変更されたことを示す通知であって、上記移動元のＭＩＰのＦＡが存在する物理エンティティのアドレス情報を含む通知に基づいて、上記移動先のＭＩＰのＦＡが存在する物理エンティティに、上記アンカープロキシモバイルノードのアドレス情報を送信するようにさらに構成された、上記アンカープロキシモバイルノード。
【００４６】
移動先のＭＩＰのフォーリンエージェント（ＦＡ）が存在する物理エンティティおよびアンカープロキシモバイルノードを含むモバイルインターネットプロトコル（ＭＩＰ）の登録および登録抹消システムであって、上記移動先のＭＩＰのＦＡが存在する物理エンティティは、上記アンカープロキシモバイルノードのアドレス情報に基づいて、該アンカープロキシモバイルノードに、モバイル端末の識別子（ＭＴ ＩＤ）を含む信任状を要求するメッセージを送信し、上記アンカープロキシモバイルノードから返信される上記信任状を用いて、ＭＩＰ登録または登録抹消を実施するように構成されている。
【００４７】
そして、上記アンカープロキシモバイルノードは、上記移動先のＭＩＰのＦＡが存在する物理エンティティから送信される、上記信任状を要求するメッセージに含まれる上記ＭＴ ＩＤに基づいて上記信任状を探索し、該信任状を上記移動先のＭＩＰのＦＡが存在する物理エンティティに返信するように構成されている。
【００４８】
好ましくは、上記移動先のＭＩＰのＦＡが存在する物理エンティティは、さらに、上記モバイル端末の、上記移動元のＭＩＰのＦＡが存在する物理エンティティが、上記移動先のＭＩＰのＦＡが存在する物理エンティティに切り替わったことが検出された後、上記モバイル端末の、上記移動元のＭＩＰのＦＡが存在する物理エンティティが、上記移動先のＭＩＰのＦＡが存在する物理エンティティに切り替わったことを示す通知であって、上記ＭＴ ＩＤおよび上記移動先のＭＩＰのＦＡが存在する物理エンティティのアドレス情報を含む通知を、上記アンカープロキシモバイルノードに送信するように構成されている。
【００４９】
そして、上記アンカープロキシモバイルノードは、さらに、上記移動先のＭＩＰのＦＡが存在する物理エンティティから送信される、上記モバイル端末の、移動元のＭＩＰのＦＡが存在する物理エンティティが切り替わったことを示す通知に基づいて、上記移動先のＭＩＰのＦＡが存在する物理エンティティに、上記アンカープロキシモバイルノードのアドレス情報を、送信するように構成されている。
【００５０】
好ましくは、本システムはさらに以下を含む。
【００５１】
上記移動先のＭＩＰのＦＡが存在する物理エンティティに、上記ＭＴ ＩＤおよび上記アンカープロキシモバイルノードのアドレス情報を送信するように構成された移動先のＢＳ。
【００５２】
好ましくは、本システムはさらに以下を含む。
【００５３】
上記モバイル端末の、上記移動元のＭＩＰのＦＡが存在する物理エンティティが変更されたことが検出された後、モバイル端末の、上記移動元のＭＩＰのＦＡが存在する物理エンティティが変更されたことを示す通知であって、上記ＭＴ ＩＤおよび上記移動先のＭＩＰのＦＡが存在する物理エンティティのアドレス情報を含む通知を、上記アンカープロキシモバイルノードに送信するように構成された、serving ＭＩＰのＦＡが存在する物理エンティティ。
【００５４】
そして、上記serving ＭＩＰのＦＡが存在する物理エンティティから送信される、上記モバイル端末の、上記移動元のＭＩＰのＦＡが存在する物理エンティティが変更されたことを示す通知であって、上記移動元のＭＩＰのＦＡが存在する物理エンティティのアドレス情報を含む通知に基づいて、上記移動先のＭＩＰのＦＡが存在する物理エンティティに、上記アンカープロキシモバイルノードのアドレス情報を送信するようにさらに構成された、上記アンカープロキシモバイルノード。
【００５５】
従来方法と比較すると、本発明の解決策は以下のように実施される。移動先のＭＩＰのＦＡが存在する物理エンティティは、ＭＴ ＩＤおよびアンカープロキシモバイルノードのアドレス情報を取得し、上記ＭＴ ＩＤを含むメッセージを上記アンカープロキシモバイルノードに送信する。そして、上記移動先のＭＩＰのＦＡが存在する物理エンティティは、上記アンカープロキシモバイルノードから返信された信任状に基づいてＭＩＰ登録または登録抹消を開始する。上記に代わり、上記アンカープロキシモバイルノードは、自身が保存した上記信任状に基づいてＭＩＰ登録または登録抹消を開始してもよい。それゆえ、モバイル端末のＭＩＰクライアントに代わってＭＩＰ登録または登録抹消を開始するために用いられるエンティティが変更されたとき、ＭＩＰ登録または登録抹消が実施される。
【００５６】
〔発明を実施するための最良の形態〕
本発明では、移動先のＭＩＰのＦＡが存在する物理エンティティは、まず、モバイル端末の、移動元のＭＩＰのＦＡが存在する物理エンティティが変更されたとき、アンカープロキシモバイルノードのアドレス情報を取得する。そして、移動先のＭＩＰのＦＡが存在する物理エンティティは、アンカープロキシモバイルノードのアドレス情報に基づいて、アンカープロキシモバイルノードに、ＭＴ ＩＤを含むメッセージを送信する。ＭＴ ＩＤに対応するモバイル端末のＭＩＰ登録または登録抹消は、ＭＴ ＩＤを含むメッセージの関連情報に基づいて実施される。
【００５７】
より詳しくは、モバイル端末の、移動元のＭＩＰのＦＡが存在する物理エンティティが変更されたとき、ＭＩＰ登録または登録抹消は、移動先のＭＩＰのＦＡが存在する物理エンティティによって開始されるか、または、アンカープロキシモバイルノードによって開始される。図６、７および１０は、移動先のＭＩＰのＦＡが存在する物理エンティティによるＭＩＰ登録または登録抹消を開始する方法に係る実施例を示している。図８、９および１１は、アンカープロキシモバイルノードによるＭＩＰ登録または登録抹消を開始する方法に係る実施例を示している。
【００５８】
本発明に係る実施例を、図および実施例を参照しながら、以下に示す。
【００５９】
図５は、ＭＩＰ登録または登録抹消方法を説明するものである。該方法を以下に示す。
【００６０】
ステップ５０１では、移動先のＭＩＰのＦＡが存在する物理エンティティが、ＭＴ ＩＤおよびアンカープロキシモバイルノードのアドレス情報を取得する。
【００６１】
ＭＩＰのＦＡが存在する物理エンティティの変更が、モバイル端末のＢＳハンドオーバにより生じている場合、移動先のＭＩＰのＦＡが存在する物理エンティティは、移動先のＢＳから、ＭＴ ＩＤおよびアンカープロキシモバイルノードのアドレス情報を取得する。モバイル端末がハンドオーバ前にカバーされていたＢＳに対応する、serving ＭＩＰのＦＡに存在する物理エンティティ、および、モバイル端末の信任状を保存するために用いられるアンカープロキシモバイルノードが、同一のエンティティ内に配置される場合、アンカープロキシモバイルノードのアドレス情報は、serving ＭＩＰのＦＡに存在する物理エンティティのアドレス情報である。
【００６２】
ＭＩＰのＦＡが存在する物理エンティティの変更がリソース最適化によって生じている場合、ＭＩＰのＦＡが存在する物理エンティティは、アンカープロキシモバイルノードから、ＭＴ ＩＤおよびアンカープロキシモバイルノードのアドレス情報を取得する。
【００６３】
ステップ５０２では、移動先のＭＩＰのＦＡが存在する物理エンティティが、受信したＭＴ ＩＤに対応するモバイル端末の信任状が保存されているか否かを検査する。移動先のＭＩＰのＦＡが存在する物理エンティティが信任状を保存している場合、移動先のＭＩＰのＦＡが存在する物理エンティティは、該信任状に基づいて、モバイル端末のＭＩＰ登録または登録抹消を実施し、現在の手続きを終了する。保存していなければ、ステップ５０３を実行する。
【００６４】
移動先のＭＩＰのＦＡが存在する物理エンティティは、アンカープロキシモバイルノードから信任状を取得でき、モバイル端末の該信任状はアンカープロキシモバイルノードによって管理される。
【００６５】
ステップ５０２はオプションであり、ステップ５０３はステップ５０１の直後に実行することができる。
【００６６】
ステップ５０３では、移動先のＭＩＰのＦＡが存在する物理エンティティが、アンカープロキシモバイルノードのアドレス情報に基づいて、アンカープロキシモバイルノードに、ＭＴ ＩＤを含むメッセージを送信する。
【００６７】
ステップ５０４では、ＭＴ ＩＤを含むメッセージ内の関連情報に基づいて、ＭＩＰ登録または登録抹消が実施される。該関連情報は、ＭＴ ＩＤまたはトランザクションＩＤを含むものである。
【００６８】
図６は、モバイル端末の移動元のＭＩＰのＦＡが存在する物理エンティティが、モバイル端末のＢＳハンドオーバによって変更されたときの、移動先のＭＩＰのＦＡが存在する物理エンティティによる、ＭＩＰ登録または登録抹消の開始方法の実施例を説明するものである。本実施例では、モバイル加入者設備（ＭＳＳ）は、モバイル端末である。本方法を以下で詳細に説明する。
【００６９】
ステップ６０１では、移動先のＭＩＰのＦＡが存在する物理エンティティが、ＭＳＳの識別子（ＭＳＳＩＤ）およびアンカープロキシモバイルノードのアドレス情報を受信する。ＭＳＳの識別子（ＭＳＳＩＤ）およびアンカープロキシモバイルノードのアドレス情報は、移動先のＢＳから送信される。
【００７０】
移動先のＭＩＰのＦＡが存在する物理エンティティは、以下の２つの方法により、アンカープロキシモバイルノードのアドレス情報を取得する。
【００７１】
１つ目の方法：ＭＳＳは、モバイル端末がハンドイオーバ前に接続していたserving ＢＳに対して、ＭＳＳＩＤおよびＢＳの識別子（ＢＳＩＤ）を含むハンドオーバ要求を送信する。serving ＢＳは、該ハンドオーバ要求を受信すると、ＭＳＳが切り替わる先の移動先のＢＳに、ＭＳＳＩＤおよびアンカープロキシモバイルノードのアドレス情報を含む、ハンドオーバを要求する旨のメッセージ（ハンドオーバ要求メッセージ）を送信する。移動先のＢＳは、serving ＢＳから送信されるハンドオーバ要求メッセージ、および、ＭＳＳから送信されるレンジング（ranging）要求（ＲＲ）を受信すると、移動先のＢＳの、移動先のＭＩＰのＦＡが存在する物理エンティティに、ＭＳＳが移動先のＢＳに切り替わったことを示す通知メッセージを送信する。該通知メッセージは、上記ハンドオーバ要求メッセージから取得したアンカープロキシモバイルノードのアドレス情報、および、ＭＳＳＩＤを含んでいる。
【００７２】
もう１つの方法：ＭＳＳが、直接、移動先のＢＳに、ハンドオーバを示すメッセージと、ＭＳＳＩＤと、serving ＢＳＩＤとを含むＲＲメッセージを送信する。移動先のＢＳは、ＲＲメッセージを受信すると、アンカープロキシモバイルノードのアドレス情報を取得する要求を、受信したserving ＢＳＩＤに基づいてserving ＢＳに送信する。該要求は、ＭＳＳＩＤを含む。serving ＢＳは、アンカープロキシモバイルノードのアドレス情報を取得する要求を受信すると、該要求に含まれるＭＳＳＩＤに対応するアンカープロキシモバイルノードのアドレス情報を探索し、移動先のＢＳに、アンカープロキシモバイルノードのアドレス情報を返信する。移動先のＢＳは、アンカープロキシモバイルノードのアドレス情報を受信すると、移動先のＭＩＰのＦＡが存在する物理エンティティに、ＭＳＳが移動先のＢＳに切り替わったことを示す通知メッセージを送信する。該通知メッセージは、ＭＳＳＩＤおよびアンカープロキシモバイルノードのアドレス情報を含んでいる。
【００７３】
serving ＢＳは、ＭＳＳＩＤと、アンカープロキシモバイルノードのアドレス情報との間の関係を保存する。ＭＳＳＩＤは、serving ＢＳに管理されるＭＳＳの識別子である。
【００７４】
ステップ６０２では、移動先のＭＩＰのＦＡが存在する物理エンティティが、受信したＭＳＳＩＤに対応するＭＳＳの信任状が保存されているか否かを検査する。移動先のＭＩＰのＦＡが存在する物理エンティティが該信任状を保存している場合、移動先のＭＩＰのＦＡが存在する物理エンティティは、該信任状に基づいてＭＳＳのＭＩＰ登録または登録抹消を実施し、手続きを終了する。移動先のＭＩＰのＦＡが存在する物理エンティティが、該信任状を保存していない場合、ステップ６０３を実行する。
【００７５】
ステップ６０２はオプションであり、ステップ６０３はステップ６０１の直後に実行することができる。
【００７６】
ステップ６０３では、移動先のＭＩＰのＦＡが存在する物理エンティティは、信任状を要求するメッセージであって、ＭＳＳＩＤを含むメッセージを、受信したアンカープロキシモバイルノードのアドレス情報に基づいて、アンカープロキシモバイルノードに送信する。
【００７７】
上記信任状を要求するメッセージは、さらに、専ら信任状を要求するメッセージであることを示すためのトランザクションＩＤを含んでもよい。この場合、移動先のＭＩＰのＦＡが存在する物理エンティティは、信任状を要求するメッセージとトランザクションＩＤとの間の対応関係を保存する。
【００７８】
ステップ６０４では、アンカープロキシモバイルノードが、信任状を要求するメッセージを受信すると、信任状を要求するメッセージに含まれるＭＳＳＩＤに対応するＭＳＳの信任状を探索し、該信任状を含む信任状を送信する旨のメッセージ（信任状送信メッセージ）を、移動先のＭＩＰのＦＡが存在する物理エンティティに送信する。
【００７９】
上記信任状送信メッセージは、アンカープロキシモバイルノードと、移動先のＭＩＰのＦＡが存在する物理エンティティとの間に確立されるセキュリティチャンネルを介して、移動先のＭＩＰのＦＡが存在する物理エンティティに送信されてもよい。
【００８０】
信任状に対応するＭＳＳがいずれであるかを識別するために、上記信任状送信メッセージは、ＭＳＳＩＤを含んでいてもよい。しかしながら、上記信任状送信メッセージがトランザクションＩＤを含んでいる場合は、ＭＳＳＩＤを含まなくてもよい。なぜなら、移動先のＭＩＰのＦＡが存在する物理エンティティが、トランザクションＩＤを含む信任状送信メッセージを受信した後、移動先のＭＩＰのＦＡが存在する物理エンティティが、信任状送信メッセージに対応する、保存または送信された信任状を要求するメッセージを探索し、該信任状を要求するメッセージに含まれるＭＳＳＩＤに対応するＭＳＳを取得すればよいからである。
【００８１】
ステップ６０５では、信任状を含む信任状送信メッセージを受信すると、移動先のＭＩＰのＦＡが存在する物理エンティティが、信任状に対応するＭＳＳＩＤを決定する。
【００８２】
ステップ６０６では、移動先のＭＩＰのＦＡが存在する物理エンティティが、信任状に基づいて決定されたＭＳＳのＭＩＰ登録または登録抹消を実施する。
【００８３】
図７は、ＭＳＳの移動元のＭＩＰのＦＡが存在する物理エンティティが、モバイル端末のＢＳハンドオーバによって変更されたときの、移動先のＭＩＰのＦＡが存在する物理エンティティによる、ＭＩＰ登録または登録抹消の開始方法の他の実施例を説明するものである。本実施例では、ＭＳＳはモバイル端末である。アンカープロキシモバイルノードおよびオーセンティケータは、同一のエンティティ内に配置されている。本方法を以下で詳細に説明する。
【００８４】
ステップ７０１では、serving ＢＳから送信される、ＭＳＳＩＤおよびアドレス情報を受信すると、移動先のＢＳは、移動先のＭＩＰのＦＡが存在する物理エンティティに、認証キー（ＡＫ）を要求するメッセージ（ＡＫ要求メッセージ）を送信する。ＡＫ要求メッセージは、ＭＳＳＩＤおよびアドレス情報を含んでいる。アドレス情報は、オーセンティケータまたはアンカープロキシモバイルノードのものである。
【００８５】
移動先のＢＳが、オーセンティケータまたはアンカープロキシモバイルノードのアドレス情報を取得する方法は、ステップ６０１にて説明した、移動先のＢＳが、アンカープロキシモバイルノードのアドレス情報を取得する方法と同じである。
【００８６】
ステップ７０２では、移動先のＭＩＰのＦＡが存在する物理エンティティが、ＡＫ要求メッセージを受信すると、ＡＫ要求メッセージに含まれるＭＳＳＩＤに対応するＭＳＳのＡＫが保存されているか否かを検査する。移動先のＭＩＰのＦＡが存在する物理エンティティが、上記ＭＳＳのＡＫを保存している場合、移動先のＭＩＰのＦＡが存在する物理エンティティは、ＭＳＳの信任状を取得するための探索を行い、該信任状に基づいてＭＳＳのＭＩＰ登録または登録抹消を実施し、手続きを終了する。移動先のＭＩＰのＦＡが存在する物理エンティティが、上記ＡＫを保存していない場合、ステップ７０３を実行する。
【００８７】
移動先のＭＩＰのＦＡが存在する物理エンティティがＭＳＳのＡＫを保存している場合、ＭＳＳのプロキシモバイルノードが、ＢＳハンドオーバの間、変更されておらず、移動先のＭＩＰのＦＡが存在する物理エンティティが、ＭＳＳの信任状を保存していることを確かめることができることを示している。移動先のＭＩＰのＦＡが存在する物理エンティティがＭＳＳのＡＫを保存していない場合、ＭＳＳのプロキシモバイルノードが、ＢＳハンドオーバの間に変更されており、移動先のＭＩＰのＦＡが存在する物理エンティティが、ＭＳＳの信任状を保存していないことを示している。
【００８８】
ステップ７０２はオプションである。
【００８９】
ステップ７０３では、移動先のＭＩＰのＦＡが存在する物理エンティティが、ＡＫ要求メッセージに含まれるアドレス情報に基づいて、オーセンティケータまたはアンカープロキシモバイルノードに、信任状を要求するメッセージを送信する。移動先のＭＩＰのＦＡが存在する物理エンティティは、オーセンティケータまたはアンカープロキシモバイルノードに対して、ＭＳＳの信任状を提供することを要求する。上記信任状を要求するメッセージは、ＭＳＳＩＤを含み、また、トランザクションＩＤを含んでもよい。
【００９０】
ステップ７０４では、オーセンティケータまたはアンカープロキシモバイルノードが、信任状を要求するメッセージを受信すると、信任状を要求するメッセージに含まれるＭＳＳＩＤに対応するＭＳＳの信任状を探索し、取得する。そして、移動先のＭＩＰのＦＡが存在する物理エンティティに、確立されたセキュリティチャンネルを介して、信任状を含む信任状送信メッセージを送信する。該信任状送信メッセージは、ＭＳＳＩＤまたはトランザクションＩＤを含んでいる。
【００９１】
ステップ７０５では、移動先のＭＩＰのＦＡが存在する物理エンティティが、上記信任状送信メッセージを受信すると、該信任状送信メッセージに含まれる信任状に対応するＭＳＳＩＤを決定する。
【００９２】
ステップ７０６では、移動先のＭＩＰのＦＡが存在する物理エンティティが、信任状に基づいてＭＳＳＩＤに対応するＭＳＳのＭＩＰ登録または登録抹消を実施する。
【００９３】
図８は、ＭＳＳの移動元のＭＩＰのＦＡが存在する物理エンティティが、モバイル端末のＢＳハンドオーバによって変更されたときの、アンカープロキシモバイルノードによる、ＭＩＰ登録または登録抹消の開始方法の他の実施例を説明するものである。本実施例では、ＭＳＳはモバイル端末である。本方法を以下で詳細に説明する。
【００９４】
ステップ８０１では、移動先のＭＩＰのＦＡが存在する物理エンティティが、移動先のＢＳから送信される、ＭＳＳＩＤおよびアンカープロキシモバイルノードのアドレス情報を受信する。
【００９５】
移動先のＭＩＰのＦＡが存在する物理エンティティが、アンカープロキシモバイルノードのアドレス情報を取得する方法は、ステップ６０１にて説明した方法と同じである。
【００９６】
ステップ８０２では、移動先のＭＩＰのＦＡが存在する物理エンティティが、上記受信したＭＳＳＩＤに対応するＭＳＳの信任状を保存しているか否かを検査する。移動先のＭＩＰのＦＡが存在する物理エンティティが、ＭＳＳの信任状を保存している場合、移動先のＭＩＰのＦＡが存在する物理エンティティは、信任状に基づいてＭＳＳのＭＩＰ登録または登録抹消を実施し、この手続きを終了する。移動先のＭＩＰのＦＡが存在する物理エンティティが、ＭＳＳの信任状を保存していない場合、ステップ８０３を実行する。
【００９７】
ステップ８０２は、オプションである。
【００９８】
ステップ８０３では、移動先のＭＩＰのＦＡが存在する物理エンティティが、ＭＩＰ登録または登録抹消の開始を要求するメッセージを、上記受信したアンカープロキシモバイルノードのアドレス情報に基づいて、アンカープロキシモバイルノードに送信する。上記要求メッセージは、ＭＳＳＩＤおよびトランザクションＩＤを含んでいてもよい。
【００９９】
ステップ８０４では、上記ＭＩＰ登録または登録抹消の開始を要求するメッセージを受信すると、アンカープロキシモバイルノードが、上記要求メッセージに含まれるＭＳＳＩＤに対応するＭＳＳの信任状を探索し、取得する。そして、該信任状に基づいて、ＭＳＳＩＤに対応するＭＳＳのＭＩＰ登録または登録抹消を実施する。
【０１００】
図９は、ＭＳＳの移動元のＭＩＰのＦＡが存在する物理エンティティが、モバイル端末のＢＳハンドオーバによって変更されたときの、アンカープロキシモバイルノードによる、ＭＩＰ登録または登録抹消の開始方法の他の実施例を説明するものである。本実施例では、ＭＳＳはモバイル端末である。アンカープロキシモバイルノードおよびオーセンティケータは、同一のエンティティ内に配置されている。本方法を以下で詳細に説明する。
【０１０１】
ステップ９０１では、serving ＢＳから送信されたＭＳＳＩＤおよびアドレス情報を受信すると、移動先のＢＳが、移動先のＢＳの、移動先のＭＩＰのＦＡが存在する物理エンティティティに、認証キー（ＡＫ）要求メッセージを送信する。ＡＫ要求メッセージは、アドレス情報およびＭＳＳＩＤを含んでいる。アドレス情報は、オーセンティケータまたはアンカープロキシモバイルノードのものである。
【０１０２】
移動先のＢＳが、オーセンティケータまたはアンカープロキシモバイルノードのアドレス情報を取得する方法は、ステップ６０１にて説明した、移動先のＢＳが、アンカープロキシモバイルノードのアドレス情報を取得する方法と同じである。
【０１０３】
ステップ９０２では、移動先のＭＩＰのＦＡが存在する物理エンティティが、ＡＫ要求メッセージを受信すると、ＡＫ要求メッセージに含まれるＭＳＳＩＤに対応するＭＳＳのＡＫを保存しているか否かを検査する。移動先のＭＩＰのＦＡが存在する物理エンティティが、上記ＭＳＳのＡＫを保存している場合、移動先のＭＩＰのＦＡが存在する物理エンティティは、ＭＳＳの信任状を探索および取得し、信任状に基づいて、ＭＳＳのＭＩＰ登録または登録抹消を実施し、手続きを終了する。移動先のＭＩＰのＦＡが存在する物理エンティティが、上記ＭＳＳのＡＫを保存していない場合、ステップ９０３を実行する。
【０１０４】
ステップ９０３では、移動先のＭＩＰのＦＡが存在する物理エンティティが、上記受信したアドレス情報に基づいて、ＭＩＰ登録または登録抹消の開始を要求するメッセージを、オーセンティケータまたはアンカープロキシモバイルノードに送信する。ＭＩＰ登録または登録抹消の開始を要求するメッセージは、ＭＳＳＩＤを含んでおり、また、トランザクションＩＤを含んでいてもよい。
【０１０５】
ステップ９０４では、アンカープロキシモバイルノードが、ＭＩＰ登録または登録抹消の開始を要求するメッセージを受信すると、ＭＩＰ登録または登録抹消の開始を要求するメッセージに含まれるＭＳＳＩＤに対応するＭＳＳの信任状を探索し、取得する。そして、該信任状に基づいて、ＭＳＳＩＤに対応するＭＳＳのＭＩＰ登録または登録抹消を実施する。
【０１０６】
図１０は、モバイル端末の移動元のＭＩＰのＦＡが存在する物理エンティティが変更されたが、モバイル端末のＢＳハンドオーバはされていないときの、移動先のＭＩＰのＦＡが存在する物理エンティティティによる、ＭＩＰ登録または登録抹消の開始方法の他の実施例を説明するものである。本実施例では、本方法を以下で詳細に説明する。
【０１０７】
ステップ１００１では、移動先のＭＩＰのＦＡが存在する物理エンティティティが、アンカープロキシモバイルノードから送信された、ＭＳＳＩＤおよびアンカープロキシモバイルノードのアドレス情報を受信する。
【０１０８】
モバイル端末の、移動元のＭＩＰのＦＡが存在する物理エンティティが変更されたことを、serving ＭＩＰのＦＡが存在する物理エンティティ、または、移動先のＭＩＰのＦＡが存在する物理エンティティから知らされた後、アンカープロキシモバイルノードが、ＭＳＳＩＤおよび自身のアドレス情報を、移動先のＭＩＰのＦＡが存在する物理エンティティに送信する。
【０１０９】
例えば、ＢＳが、ＭＩＰのＦＡが存在する物理エンティティ１と、直接接続されている場合、物理エンティティ１は、ＭＩＰのＦＡが存在する物理エンティティ２を介して、ＨＡと接続し、ＢＳは現在のところＭＳＳと接続する。物理エンティティ２が、ＭＳＳのＨＡへのＭＩＰ登録または登録抹消を開始する。そして、物理エンティティ２が、リソース最適化のために、直接ＨＡに接続してもよい。この場合、物理エンティティ２または物理エンティティ１が、ＭＳＳの移動元のＭＩＰのＦＡが存在する物理エンティティが変更されたことを、アンカープロキシモバイルノードに通知する。物理エンティティ２または物理エンティティ１が、ＭＳＳＩＤ、および、変更された、移動先のＭＩＰのＦＡが存在する物理エンティティのアドレス情報、つまり、ＭＩＰのＦＡが存在する物理エンティティ２のアドレス情報を、アンカープロキシモバイルノードに通知する。該通知を受信すると、アンカープロキシモバイルノードは、ＭＳＳＩＤ、および、自身のアドレス情報を、移動先のＭＩＰのＦＡが存在する物理エンティティ、つまり、ＭＩＰのＦＡが存在する物理エンティティ２に送信する。
【０１１０】
ステップ１００２〜１００６は、ステップ６０２〜６０６と同じである。
【０１１１】
図１１は、移動元のＭＩＰのＦＡが存在する物理エンティティが、モバイル端末のＢＳハンドオーバを伴わずに変更されたときの、アンカープロキシモバイルノードによる、ＭＩＰ登録または登録抹消の開始方法の実施例を説明するものである。本実施例では、本方法を以下で詳細に説明する。
【０１１２】
ステップ１１０１は、ステップ１００１と同じである。
【０１１３】
ステップ１１０２〜１１０４は、ステップ８０２〜８０４と同じである。
【０１１４】
図１２は、移動先のＭＩＰのＦＡが存在する物理エンティティによる、ＭＩＰ登録または登録抹消を開始する、移動先のＭＩＰのＦＡが存在する物理エンティティ１２１、および、アンカープロキシモバイルノード１２２を主に含むシステムを説明するものである。
【０１１５】
移動先のＭＩＰのＦＡが存在する物理エンティティ１２１は、ＭＴ ＩＤを含む信任状を要求するメッセージを、取得されたアンカープロキシモバイルノード１２２のアドレス情報に基づいて、アンカープロキシモバイルノード１２２に送信するように構成されており、アンカープロキシモバイルノード１２２から送信される信任状に基づいて、ＭＴ ＩＤに対応するモバイル端末のＭＩＰ登録または登録抹消を実施する。
【０１１６】
移動先のＭＩＰのＦＡが存在する物理エンティティ１２１は、さらに、モバイル端末の、移動元のＭＩＰのＦＡが存在する物理エンティティが、移動先のＭＩＰのＦＡが存在する物理エンティティ１２１に変更されたことを検出したとき、モバイル端末の、移動元のＭＩＰのＦＡが存在する物理エンティティが変更されたことを示す通知を、アンカープロキシモバイルノード１２２に送信するように構成されている。該通知は、ＭＴ ＩＤおよび移動先のＭＩＰのＦＡが存在する物理エンティティ１２１のアドレス情報を含んでいる。
【０１１７】
アンカープロキシモバイルノード１２２は、ＭＴ ＩＤと信任状との間の対応関係を保存し、移動先のＭＩＰのＦＡが存在する物理エンティティ１２１から送信される信任状を要求するメッセージを受信すると、該信任状を要求するメッセージに含まれるＭＴ ＩＤに対応する信任状を探索し、該信任状を移動先のＭＩＰのＦＡが存在する物理エンティティ１２１に送信するように構成されている。
【０１１８】
アンカープロキシモバイルノード１２２は、さらに、モバイル端末の、移動元のＭＩＰのＦＡが存在する物理エンティティが変更されたことを示す通知を受信すると、移動先のＭＩＰのＦＡが存在する物理エンティティ１２１に、自身のアドレス情報を送信するように構成されている。該通知は、移動先のＭＩＰのＦＡが存在する物理エンティティ１２１から送信される。
【０１１９】
図１３は、移動先のＭＩＰのＦＡが存在する物理エンティティによって、ＭＩＰ登録または登録抹消を開始するシステムの実施例を説明するものである。図１３に示すように、図１２に示した実施例と比較すると、本実施例のシステムは、さらに、移動先のＭＩＰのＦＡが存在する物理エンティティ１２１に、ＭＴ ＩＤおよびアンカープロキシモバイルノード１２２のアドレス情報を送信するための、移動先のＢＳ１２０を含んでいる。
【０１２０】
図１４は、移動先のＭＩＰのＦＡが存在する物理エンティティによって、ＭＩＰ登録または登録抹消を開始するシステムの実施例を説明するものである。図１４に示すように、図１２に示した実施例と比較すると、本実施例のシステムは、さらに、serving ＭＩＰのＦＡが存在する物理エンティティ１２３を含んでいる。serving ＭＩＰのＦＡが存在する物理エンティティ１２３は、モバイル端末の、移動元のＭＩＰのＦＡが存在する物理エンティティの変更が検出されたことが検出されたとき、モバイル端末の、移動元のＭＩＰのＦＡが存在する物理エンティティが変更されたことを示す通知を、アンカープロキシモバイルノード１２２に送信するように構成されている。該通知は、ＭＴ ＩＤおよび移動先のＭＩＰのＦＡが存在する物理エンティティ１２１のアドレス情報を含んでいる。
【０１２１】
加えて、アンカープロキシモバイルノード１２２は、さらに、モバイル端末の、移動元のＭＩＰのＦＡが存在する物理エンティティが変更されたことを示す通知を受信した後、該通知に含まれる、移動先のＭＩＰのＦＡが存在する物理エンティティ１２１のアドレス情報に基づいて、移動先のＭＩＰのＦＡが存在する物理エンティティ１２１に、自身のアドレス情報を送信するように構成されている。該通知は、serving ＭＩＰのＦＡが存在する物理エンティティ１２３から送信される。
【０１２２】
図１５は、本発明に係るＭＩＰ登録または登録抹消を開始するシステムを説明するものである。図１５に示すように、本システムは、主に、移動先のＭＩＰのＦＡが存在する物理エンティティ１５１、および、アンカープロキシモバイルノード１５２を含んでいる。
【０１２３】
移動先のＭＩＰのＦＡが存在する物理エンティティ１５１は、ＭＴ ＩＤを含む、ＭＩＰ登録または登録抹消の開始を要求するメッセージを、取得されたアンカープロキシモバイルノード１５２のアドレス情報に基づいて、アンカープロキシモバイルノード１５２に送信するように構成されている。
【０１２４】
移動先のＭＩＰのＦＡが存在する物理エンティティ１５１は、さらに、モバイル端末の、移動元のＭＩＰのＦＡが存在する物理エンティティが、移動先のＭＩＰのＦＡが存在する物理エンティティ１５１に変更されたことが検出された後、モバイル端末の、移動元のＭＩＰのＦＡが存在する物理エンティティが変更されたことを示す通知を、アンカープロキシモバイルノード１５２に送信するように構成されている。該通知は、ＭＴ ＩＤおよび移動先のＭＩＰのＦＡが存在する物理エンティティ１５１のアドレス情報を含んでいる。
【０１２５】
アンカープロキシモバイルノード１５２は、ＭＴ ＩＤと信任状との間の対応関係を保存し、移動先のＭＩＰのＦＡが存在する物理エンティティ１５１から送信されるＭＩＰ登録または登録抹消の開始を要求するメッセージを受信した後、該要求メッセージに含まれるＭＴ ＩＤに対応する信任状を探索し、該信任状に基づいて、移動先のＭＩＰのＦＡが存在する物理エンティティ１５１から送信されるＭＴ ＩＤに対応するモバイル端末のＭＩＰ登録または登録抹消を実施する。
【０１２６】
アンカープロキシモバイルノード１５２は、さらに、移動先のＭＩＰのＦＡが存在する物理エンティティ１５１が変更されたことを示す通知を受信すると、移動先のＭＩＰのＦＡが存在する物理エンティティ１５１に、自身のアドレス情報を送信するように構成されている。該通知は、移動先のＭＩＰのＦＡが存在する物理エンティティ１５１から送信される。
【０１２７】
図１６は、アンカープロキシモバイルノードによって、ＭＩＰ登録または登録抹消を開始するシステムの実施例を説明するものである。図１６に示すように、図１５に示した実施例と比較すると、本実施例のシステムは、さらに、移動先のＢＳ１５０を含んでいる。デスティネーショＢＳ１５０は、移動先のＭＩＰのＦＡが存在する物理エンティティ１５１に、ＭＴ ＩＤおよびアンカープロキシモバイルノード１５２のアドレス情報を送信するように構成されている。
【０１２８】
図１７は、アンカープロキシモバイルノードによって、登録または登録抹消を開始するシステムの実施例を説明するものである。図１７に示すように、図１５に示した実施例と比較すると、本実施例のシステムは、さらに、serving ＭＩＰのＦＡが存在する物理エンティティ１５３を含んでいる。serving ＭＩＰのＦＡが存在する物理エンティティ１５３は、モバイル端末の、移動元のＭＩＰのＦＡが存在する物理エンティティが変更されたことが検出された後、モバイル端末の、移動元のＭＩＰのＦＡが存在する物理エンティティが変更されたことを示す通知を、アンカープロキシモバイルノード１５２に送信するように構成されている。該通知は、ＭＴ ＩＤおよび移動先のＭＩＰのＦＡが存在する物理エンティティ１５１のアドレス情報を含んでいる。
【０１２９】
加えて、アンカープロキシモバイルノード１５２は、さらに、モバイル端末の、移動元のＭＩＰのＦＡが存在する物理エンティティが変更されたことを示す通知を受信した後、該通知に含まれる、移動先のＭＩＰのＦＡが存在する物理エンティティ１５１のアドレス情報に基づいて、移動先のＭＩＰのＦＡが存在する物理エンティティ１５１に、自身のアドレス情報を送信するように構成されている。該通知は、serving ＭＩＰのＦＡが存在する物理エンティティ１５３から送信される。
【０１３０】
好ましい実施例について、本開示に係る図面および記述を与えたが、添付の請求項にて定義される本発明の精神および範囲を逸脱することなく、様々な形式上の変更や詳細化がなされ得ることは、当業者に認識されるべきものである。
【図面の簡単な説明】
【０１３１】
【図１】集中型ＷＩＭＡＸネットワークアーキテクチャにおける、ＢＳとプロキシモバイルノードとの間の関係を示す概略図である。
【図２】集中型ＷＩＭＡＸネットワークアーキテクチャにおける、ＢＳとプロキシモバイルノードとの間の他の関係を示す概略図である。
【図３】分散型ＷＩＭＡＸネットワークアーキテクチャにおける、ＢＳとプロキシモバイルノードとの間の関係を示す概略図である。
【図４】モバイル端末のプロキシモバイルノードは変更されたが、モバイル端末のＢＳハンドオーバはされていない様子を示す概略図である。
【図５】本発明に係る、ＭＩＰ登録または登録抹消の方法を表すフローチャートである。
【図６】モバイル端末の、移動元のＭＩＰのＦＡが、モバイル端末のＢＳハンドオーバによって変更されたときの、移動先のＭＩＰのＦＡが存在する物理エンティティによる、ＭＩＰ登録または登録抹消の開始方法の実施例を表すフローチャートである。
【図７】モバイル端末の、移動元のＭＩＰのＦＡが、モバイル端末のＢＳハンドオーバによって変更されたときの、移動先のＭＩＰのＦＡが存在する物理エンティティによる、ＭＩＰ登録または登録抹消の開始方法の他の実施例を表すフローチャートである。
【図８】モバイル端末の、移動元のＭＩＰのＦＡが、モバイル端末のＢＳハンドオーバによって変更されたときの、アンカープロキシモバイルノードによる、ＭＩＰ登録または登録抹消の開始方法の他の実施例を表すフローチャートである。
【図９】モバイル端末の、移動元のＭＩＰのＦＡが、モバイル端末のＢＳハンドオーバによって変更されたときの、アンカープロキシモバイルノードによる、ＭＩＰ登録または登録抹消の開始方法の他の実施例を表すフローチャートである。
【図１０】モバイル端末のＢＳハンドオーバを伴わず、モバイル端末の、移動元のＭＩＰのＦＡが変更されたときの、移動先のＭＩＰのＦＡが存在する物理エンティティによる、ＭＩＰ登録または登録抹消の開始方法の他の実施例を表すフローチャートである。
【図１１】モバイル端末のＢＳハンドオーバを伴わず、モバイル端末の、移動元のＭＩＰのＦＡが変更されたときの、アンカープロキシモバイルノードによる、ＭＩＰ登録または登録抹消の開始方法の他の実施例を表すフローチャートである。
【図１２】本発明に係る、移動先のＭＩＰのＦＡが存在する物理エンティティによる、ＭＩＰ登録または登録抹消を開始するシステムのブロック図である。
【図１３】図６に示した方法に基づいたシステムのブロック図である。
【図１４】図７に示した方法に基づいたシステムのブロック図である。
【図１５】本発明に係る、アンカープロキシモバイルノードによる、ＭＩＰ登録または登録抹消を開始するシステムのブロック図である。
【図１６】図８に示した方法に基づいたシステムのブロック図である。
【図１７】図９に示した方法に基づいたシステムのブロック図である。
【図１】
2009505534.tif 000003
【図２】
2009505534.tif 000004
【図３】
2009505534.tif 000005
【図４】
2009505534.tif 000006
【図５】
2009505534.tif 000007
【図６】
2009505534.tif 000008
【図７】
2009505534.tif 000009
【図８】
2009505534.tif 000010
【図９】
2009505534.tif 000011
【図１０】
2009505534.tif 000012
【図１１】
2009505534.tif 000013
【図１２】
2009505534.tif 000014
【図１３】
2009505534.tif 000015
【図１４】
2009505534.tif 000016
【図１５】
2009505534.tif 000017
【図１６】
2009505534.tif 000018
【図１７】
2009505534.tif 000019
【手続補正書】
【提出日】平成20年5月12日(2008.5.12)
【手続補正１】
【補正対象書類名】特許請求の範囲
【補正対象項目名】全文
【補正方法】変更
【補正の内容】
【特許請求の範囲】
【請求項１】
モバイルインターネットプロトコル（以下、ＭＩＰ）の登録または登録抹消方法であって、
移動先のＭＩＰのフォーリンエージェント（以下、ＦＡ）が存在する物理エンティティは、モバイル端末の識別子（以下、ＭＴ ＩＤ）と、アンカープロキシモバイルノードのアドレス情報を取得し、
上記取得したアドレス情報に基づいて、上記ＭＴ ＩＤを含むメッセージを、上記アンカープロキシモバイルノードに送信し、
上記アンカープロキシモバイルノードから取得した、上記ＭＴ ＩＤに対応する信任状（credential）を用いて、上記ＭＴ ＩＤに対応する上記モバイル端末のＭＩＰ登録または登録抹消を実施することを特徴とするＭＩＰ登録または登録抹消方法。
【請求項２】
上記移動先のＭＩＰのＦＡが存在する物理エンティティは、上記アンカープロキシモバイルノードのアドレス情報に基づいて、上記アンカープロキシモバイルノードに、上記ＭＴ ＩＤを含むメッセージを送信し、
上記移動先のＭＩＰのＦＡが存在する物理エンティティは、上記信任状を用いて、ＭＴ ＩＤに対応する上記モバイル端末のＭＩＰ登録または登録抹消を実施することを特徴とする請求項１に記載のＭＩＰ登録または登録抹消方法。
【請求項３】
上記アンカープロキシモバイルノードは、上記アンカープロキシモバイルノードから、上記ＭＴ ＩＤに対応する信任状を探索および取得し、
上記アンカープロキシモバイルノードは、上記信任状を用いて、上記ＭＴ ＩＤに対応する上記モバイル端末のＭＩＰ登録または登録抹消を実施することを特徴とする請求項１に記載のＭＩＰ登録または登録抹消方法。
【請求項４】
上記ＭＴ ＩＤを含む上記メッセージは、信任状を要求するメッセージであって、
上記アンカープロキシモバイルノードは、上記信任状を要求するメッセージを受信し、
上記アンカープロキシモバイルノードは、上記ＭＴ ＩＤに対応する上記信任状を探索し、
上記アンカープロキシモバイルノードは、上記移動先のＭＩＰのＦＡが存在する物理エンティティに、上記信任状を送信することを特徴とする請求項１に記載のＭＩＰ登録または登録抹消方法。
【請求項５】
上記信任状は、上記移動先のＭＩＰのＦＡが存在する物理エンティティと、上記アンカープロキシモバイルノードとの間で確立されたセキュリティチャンネル（security channel）を介して、上記移動先のＭＩＰのＦＡが存在する物理エンティティに送信されることを特徴とする請求項４に記載のＭＩＰ登録または登録抹消方法。
【請求項６】
上記信任状を要求するメッセージは、さらに、トランザクションＩＤを含むものであって、
上記移動先のＭＩＰのＦＡが存在する物理エンティティは、上記信任状を要求するメッセージと、上記トランザクションＩＤとの対応関係を保存し、
上記アンカープロキシモバイルノードは、上記移動先のＭＩＰのＦＡが存在する物理エンティティに上記トランザクションＩＤを送信し、
上記移動先のＭＩＰのＦＡが存在する物理エンティティは、上記信任状を要求するメッセージと、上記トランザクションＩＤとの対応関係に基づいて、上記トランザクションＩＤに対応する上記信任状を要求するメッセージを探索し、
上記移動先のＭＩＰのＦＡが存在する物理エンティティは、上記信任状を要求するメッセージに基づいて、上記ＭＴ ＩＤを探索し、
上記移動先のＭＩＰのＦＡが存在する物理エンティティは、上記ＭＴ ＩＤに対応する上記信任状を決定することをさらに含むことを特徴とする請求項４に記載のＭＩＰ登録または登録抹消方法。
【請求項７】
上記移動先のＭＩＰのＦＡが存在する物理エンティティが上記アンカープロキシモバイルノードのアドレス情報を取得することには、
serving 基地局（以下、ＢＳ）は、上記モバイル端末から送信される、上記ＭＴ ＩＤおよび移動先のＢＳの識別子を含むハンドオーバ要求を受信し、
上記serving ＢＳは、上記移動先のＢＳの識別子に対応する移動先のＢＳに、上記ＭＴ ＩＤ、および、上記アンカープロキシモバイルノードのアドレス情報を送信し、
上記移動先のＢＳは、上記モバイル端末が上記移動先のＢＳに切り替わったことを示す通知であって、上記ＭＴ ＩＤ、および、上記アンカープロキシモバイルノードのアドレス情報を含む通知を、上記移動先のＭＩＰのＦＡが存在する物理エンティティに送信し、
上記移動先のＭＩＰのＦＡが存在する物理エンティティは、上記通知から、上記ＭＴ ＩＤ、および、上記アンカープロキシモバイルノードのアドレス情報を取得することを含むことを特徴とする請求項１から６のいずれか１項に記載のＭＩＰ登録または登録抹消方法。
【請求項８】
上記移動先のＭＩＰのＦＡが存在する物理エンティティが上記アンカープロキシモバイルノードのアドレス情報を取得することには、
上記移動先のＢＳは、上記モバイル端末から送信される、上記ＭＴ ＩＤおよびserving ＢＳの識別子を含むレンジング（Ranging）要求を受信し、
上記移動先のＢＳは、上記serving ＢＳの識別子に基づいて、該serving ＢＳに、上記アンカープロキシモバイルノードのアドレス情報の取得要求であって、上記ＭＴ ＩＤを含む該取得要求を送信し、
上記serving ＢＳは、上記ＭＴ ＩＤに対応する上記アンカープロキシモバイルノードのアドレス情報を探索し、該アンカープロキシモバイルノードのアドレス情報を、上記移動先のＢＳに送信し、
上記移動先のＢＳは、上記モバイル端末が上記移動先のＢＳに切り替わったことを示す通知であって、上記ＭＴ ＩＤおよび上記アンカープロキシモバイルノードのアドレス情報を含む通知を、上記移動先のＭＩＰのＦＡが存在する物理エンティティに送信し、
上記移動先のＭＩＰのＦＡが存在する物理エンティティは、上記アンカープロキシモバイルノードのアドレス情報を取得することを含むことを特徴とする請求項１から６のいずれか１項に記載のＭＩＰ登録または登録抹消方法。
【請求項９】
上記アンカープロキシモバイルノードおよびオーセンティケータ（authenticator）が同一のエンティティに配置され、
上記通知は、認証キー（以下、ＡＫ）要求であり、
上記アンカープロキシモバイルノードのアドレス情報は、上記オーセンティケータのアドレス情報と同一であることを特徴とする請求項８に記載のＭＩＰ登録または登録抹消方法。
【請求項１０】
上記アンカープロキシモバイルノードは、上記モバイル端末の、移動元（home）serving ＭＩＰのＦＡが存在する物理エンティティ、または、上記移動先のＭＩＰのＦＡが存在する物理エンティティから送信される通知であって、上記ＭＩＰのＦＡが存在する物理エンティティが変更されたことを示し、上記ＭＴ ＩＤおよび上記移動先のＭＩＰのＦＡが存在する物理エンティティのアドレス情報を含む通知を受信し、
上記アンカープロキシモバイルノードは、上記アンカープロキシモバイルノードのアドレス情報を、上記移動先のＭＩＰのＦＡが存在する物理エンティティに送信することをさらに含むことを特徴とする請求項１から６のいずれか１項に記載のＭＩＰ登録または登録抹消方法。
【請求項１１】
モバイルインターネットプロトコル（以下、ＭＩＰ）の登録または登録抹消を実施する、移動先のＭＩＰのフォーリンエージェント（以下、ＦＡ）が存在する物理エンティティであって、
アンカープロキシモバイルノードのアドレス情報に基づいて、該アンカープロキシモバイルノードに、モバイル端末の識別子（以下、ＭＴ ＩＤ）を含む信任状を要求するメッセージを送信する手段と、
上記アンカープロキシモバイルノードから受信した、上記ＭＴ ＩＤに対応する上記信任状を用いて、ＭＩＰ登録または登録抹消を実施する手段とを備えることを特徴とする、移動先のＭＩＰのＦＡが存在する物理エンティティ。
【請求項１２】
上記モバイル端末の、上記移動元のＭＩＰのＦＡが存在する物理エンティティが、上記移動先のＭＩＰのＦＡが存在する物理エンティティに切り替わったことを示す通知であって、上記ＭＴ ＩＤおよび上記移動先のＭＩＰのＦＡが存在する物理エンティティのアドレス情報を含む通知を送信する第１手段と、
上記アンカープロキシモバイルノードから送信された、上記アンカープロキシモバイルノードのアドレス情報を受信する第２手段とをさらに備えることを特徴とする請求項１１に記載の、移動先のＭＩＰのＦＡが存在する物理エンティティ。
【請求項１３】
移動先のＢＳから、上記ＭＴ ＩＤおよび上記アンカープロキシモバイルノードのアドレス情報を受信する第３手段をさらに含むことを特徴とする請求項１１に記載の、移動先のＭＩＰのＦＡが存在する物理エンティティ。
【請求項１４】
モバイルインターネットプロトコル（以下、ＭＩＰ）の登録または登録抹消を実施する、アンカープロキシモバイルノードであって、
移動先のＭＩＰのフォーリンエージェント（以下、ＦＡ）が存在する物理エンティティから送信される、モバイル端末の識別子（以下、ＭＴ ＩＤ）を通知するために用いられるメッセージを受信する第１手段と、
上記ＭＴ ＩＤに基づいて、上記アンカープロキシモバイルノードが保存している信任状を探索する第２手段と、
上記信任状を用いて、ＭＩＰ登録または登録抹消を実施する第３手段とを備えることを特徴とするアンカープロキシモバイルノード。
【請求項１５】
上記モバイル端末の、移動元のＭＩＰのＦＡが存在する物理エンティティが変更されたことを示す通知であって、上記移動先のＭＩＰのＦＡが存在する物理エンティティから送信される通知を受信する第４手段と、
上記移動先のＭＩＰのＦＡが存在する物理エンティティに、上記アンカープロキシモバイルノードのアドレス情報を送信する第５手段とをさらに備えることを特徴とする請求項１４に記載のアンカープロキシモバイルノード。
【請求項１６】
モバイル端末の、移動元のＭＩＰのＦＡが存在する物理エンティティが変更されたことを示す通知であって、serving ＭＩＰのＦＡが存在する物理エンティティから送信され、上記ＭＴ ＩＤおよび上記移動先のＭＩＰのＦＡが存在する物理エンティティのアドレス情報を含む通知を受信する第６手段と、
上記通知に基づいて、上記移動先のＭＩＰのＦＡが存在する物理エンティティに、上記アンカープロキシモバイルノードのアドレス情報を送信する第７手段とをさらに備えることを特徴とする請求項１４に記載のアンカープロキシモバイルノード。
【手続補正２】
【補正対象書類名】明細書
【補正対象項目名】全文
【補正方法】変更
【補正の内容】
【発明の詳細な説明】
【発明の詳細な説明】
【０００１】
〔技術分野〕
本発明は、モバイルインターネット技術に関するものであり、特に、モバイルインターネットプロトコル（ＭＩＰ：Mobile Internet Protocol）の登録または登録抹消を行う技術に関する。
【０００２】
〔背景技術〕
ＭＩＰは、モバイルノードに情報を送信するための解決策である。ＭＩＰは、モバイルノードに採用されている通信媒体から独立している。ＭＩＰによれば、モバイルノードは、通信が切断されない、または、アプリケーションプログラムが再起動しないという条件で、ロケーションを移動することができる。同時に、ＭＩＰは、モバイルノードが、恒久的なＩＰアドレスを介して、いかなるリンクとの接続をも可能とするＩＰルート機構を提供する。ＭＩＰによれば、モバイルノードが、ホームリンクからフォーリンリンクへ切り替わり、フォーリンエージェント（ＦＡ：Foreign Agent）から送信されたエージェントブロードキャストメッセージを受信したとき、モバイルノードは該エージェントブロードキャストメッセージからCare-ofアドレス（ＣｏＡ：Care-of Address）を取得する。モバイルノードは、ホームエージェント（ＨＡ：Home Agent）にＣｏＡを通知するために、自身のＨＡへのＭＩＰ登録を開始する。同様に、モバイルノードがフォーリンリンクからホームリンクに切り替わるか、または、ネットワーク接続を異常に切断したとき、ＨＡにＣｏＡの削除を通知するために、ＭＩＰ登録抹消が開始される。
【０００３】
集中型（centralized）のWorld Interoperability for Microwave Access（ＷＩＭＡＸ）システムは、ＭＩＰを実装するための２つの異なるモード、つまり、クライアントＭＩＰ（ＣＭＩＰ：Client MIP）モードおよびプロキシＭＩＰ（ＰＭＩＰ：Proxy MIP）モードを提供する。ＣＭＩＰモードは、従来のＭＩＰモードと等しい。つまり、モバイルノードの全ての機能はモバイル端末に実装されており、ＭＩＰ登録または登録抹消は、モバイル端末に設けられているＭＩＰクライアントによって開始される。このモードでは、ＭＩＰ登録または登録抹消は、モバイル端末にとって透過的ではない。ＰＭＩＰモードでは、ＭＩＰクライアントはモバイル端末から分離しており、アクセスサービスネットワーク（ＡＳＮ：Accessing Service Network）の、例えば、プロキシモバイルノードなどの論理ネットワークエンティティ内に設けられている。このモードでは、ＭＩＰ登録または登録抹消は、フォーリンリンクがあるＡＳＮ内のプロキシモバイルノードによって開始される。それゆえ、ＭＩＰ登録または登録抹消は、モバイル端末にとって透過的である。モバイル端末にとっては、常にホームリンク上で動作する。プロキシモバイルノードが、複数のモバイル端末に代わって、ＭＩＰ登録または登録抹消を開始してもよい。
【０００４】
ＣＭＩＰモードまたはＰＭＩＰモードでは、ＭＩＰ登録または登録抹消を実施するために、ＭＩＰクライアントとＨＡとの間で、モバイル端末毎に、信任状（credential）が策定される。信任状は、モバイル端末のＨＡ、および、アンカー（anchor）プロキシモバイルノードに保存される。アンカープロキシモバイルノードとは、モバイル端末の信任状を保存するために特別に使用されるプロキシモバイルノードである。アンカープロキシモバイルノードおよび移動元の基地局（ＢＳ：Base Station）に対応するプロキシモバイルノードは、同一のエンティティまたは異なるエンティティ内に配置される。モバイル端末のＭＩＰ登録または登録抹消は、モバイル端末の移動元のＢＳに対応するプロキシモバイルノード、または、アンカープロキシモバイルノードによって開始される。モバイル端末の移動元のＢＳに対応するプロキシモバイルノードおよびアンカープロキシモバイルノードが同じエンティティ内に配置されていない場合、モバイル端末の移動元のＢＳに対応するプロキシモバイルノードは、アンカープロキシモバイルノードから、モバイル端末の信任状を取得し、モバイル端末のＭＩＰ登録または登録抹消を開始する。
【０００５】
ＭＩＰ登録または登録抹消の手順を以下に示す。ＭＩＰクライアントが、取得された、または、自身が保存しているモバイル端末の信任状に基づいて、モバイル端末のメッセージ認証コード（ＭＡＣ：Message Authentication Code）を算出する。ＭＩＰクライアントは、アンカープロキシモバイルノード、または、モバイル端末の移動元のＢＳに対応するプロキシモバイルノードに存在する。そして、ＭＩＰクライアントは、上記算出したＭＡＣおよびモバイル端末の識別子（ＭＴ ＩＤ）を、登録または登録抹消要求メッセージに含めて、該要求メッセージをＨＡに送信する。ＨＡは、登録または登録抹消要求メッセージを受信すると、まず、モバイル端末の信任状を探索し、取得する。そして、ＨＡは、信任状に基づいて、登録または登録抹消要求メッセージのＭＡＣを算出する。そして、ＨＡは、上記算出したＭＡＣと、登録または登録抹消要求メッセージに含まれるＭＡＣとをマッチングさせる。上記算出したＭＡＣと、登録または登録抹消要求メッセージに含まれるＭＡＣとが一致すれば、ＨＡは、ＭＩＰクライアントに、登録または登録抹消応答メッセージを送信する。登録または登録抹消応答メッセージは、ＭＴ ＩＤ、および、モバイル端末の信任状に基づいて算出した、登録または登録抹消応答メッセージのＭＡＣとを含んでいる。ＭＩＰクライアントは、登録または登録抹消応答メッセージを受信すると、まず、登録または登録抹消応答メッセージに含まれるＭＴ ＩＤに基づいて、モバイル端末の信任状を探索し、該信任状に基づいて、登録または登録抹消応答メッセージのＭＡＣを算出する。そして、ＭＩＰクライアントは、該算出したＭＡＣと、登録または登録抹消応答メッセージに含まれるＭＡＣとをマッチングさせる。上記算出したＭＡＣと、登録または登録抹消応答メッセージに含まれるＭＡＣとが一致すれば、ＭＩＰクライアントは、登録または登録抹消応答メッセージを受諾する。同時に、ＭＩＰ登録または登録抹消は完了する。
【０００６】
ＷＩＭＡＸに関する公の標準および提案では、ＭＩＰクライアントは、ＰＭＩＰモードではプロキシモバイルノード内に配置されている。各プロキシモバイルノードは、異なるネットワークアーキテクチャに従って、１または複数のＢＳに対応している。図１および２に示すように、集中型ＷＩＭＡＸネットワークアーキテクチャでは、ＡＳＮ１のようなＡＳＮに対して、ＢＳ１、ＢＳ３、ＢＳ５のような複数のＢＳが、１つのプロキシモバイルノードを共有しており、そのプロキシモバイルノードはＡＳＮゲートウェイ（ＧＷ）に配置することができる。図３に示すように、分散型（distributed）ＷＩＭＡＸネットワークアーキテクチャでは、１つのプロキシモバイルノードは１つのＢＳ内に配置され、アンカープロキシモバイルノードは、ＭＩＰ登録または登録抹消を開始するために使用されるモバイル端末の信任状を保存する必要があり、一般的に、ＡＳＮの論理ネットワークエンティティ、つまりオーセンティケータ（Authenticator）、および、アンカープロキシノードは、同じ物理エンティティ内に配置される。
【０００７】
図１から３に示すネットワークアーキテクチャにおける、モバイル端末のハンドオーバにより生じる問題を以下に示す。モバイル端末が移動先（destination）ＢＳに切り替わった後、ハンドオーバ後のモバイル端末の移動先のＢＳに対応するプロキシモバイルノードは、ハンドオーバ前のモバイル端末のserving ＢＳに対応するプロキシモバイルノードとは異なる場合がある。なぜならば、ハンドオーバ後のモバイル端末の移動先のＢＳに対応するプロキシモバイルノードは、モバイル端末の信任状を保存していないので、モバイル端末の登録または登録抹消を開始することができないからである。さらに、モバイル端末が他のＢＳに切り替わらなくても、ＭＩＰ登録および登録抹消の開始のために使用されるプロキシモバイルノードは、リソースの最適化または他の理由のために変更される。変更されたプロキシモバイルノードは、モバイル端末の信任状を保存しておらず、モバイル端末の登録または登録抹消は開始されない。例えば、図４に示すように、ＢＳがプロキシモバイルノード１に対応している。プロキシモバイルノード１は、プロキシモバイルノード２を介してＨＡと接続している。それゆえ、プロキシモバイルノード２は、モバイル端末に代わって、ＨＡへのＭＩＰ登録または登録抹消を開始する。つまり、プロキシモバイルノード２はモバイル端末の信任状を保存する。その後、プロキシモバイルノード１は、リソース最適化のために、ＨＡに直接接続するように構成される。プロキシモバイルノード１は、モバイル端末のＭＩＰ登録または登録抹消を開始するために、モバイル端末の信任状を取得する必要がある。従来方法では、上記問題の解決策は与えられていない。
【０００８】
〔発明の開示〕
本発明に係る実施例では、ＭＩＰクライアントに代わってＭＩＰ登録または登録抹消を開始するために使用されるエンティティが変更されたとき、ＭＩＰ登録または登録抹消の開始を可能とする、モバイルインターネットプロトコルの登録または登録抹消を行う方法、および、装置を提供する。
【０００９】
本発明の技術的解決策を以下に示す。
【００１０】
プロキシモバイルノードは、論理機能エンティティであり、実際には、モバイル端末のＭＩＰクライアントに代わって、ＭＩＰ登録または登録抹消の要求を開始するプロキシモバイルノードの機能は、ＡＳＮ ＧＷのような物理エンティティにより実装されているので、ＭＩＰクライアントのＦＡは該物理エンティティに存在する。それゆえ、本発明では、モバイル端末のＭＩＰクライアントに代わってＭＩＰ登録または登録抹消を開始するエンティティが変更される前における、モバイル端末のＭＩＰクライアントに代わってＭＩＰ登録または登録抹消を開始するエンティティを、以下では、serving ＭＩＰのＦＡが存在する物理エンティティと称する。モバイル端末のＭＩＰクライアントに代わってＭＩＰ登録または登録抹消を開始するエンティティが変更された後における、モバイル端末のＭＩＰクライアントに代わってＭＩＰ登録または登録抹消を開始するエンティティを、以下では、移動先のＭＩＰのＦＡが存在する物理エンティティと称する。
【００１１】
モバイルインターネットプロトコル（ＭＩＰ）の登録または登録抹消の方法は、以下を含む。
【００１２】
移動先のＭＩＰのフォーリンエージェント（ＦＡ）が存在する物理エンティティは、モバイル端末の識別子（ＭＴ ＩＤ）と、アンカープロキシモバイルノードのアドレス情報を取得し、
上記取得したアドレス情報に基づいて、上記ＭＴ ＩＤを含むメッセージを、上記アンカープロキシモバイルノードに送信し、
上記アンカープロキシモバイルノードから取得した、上記ＭＴ ＩＤに対応する信任状（credential）を用いて、上記ＭＴ ＩＤに対応する上記モバイル端末のＭＩＰ登録または登録抹消を実施する。
【００１３】
好ましくは、上記移動先のＭＩＰのＦＡが存在する物理エンティティは、上記アンカープロキシモバイルノードのアドレス情報に基づいて、上記アンカープロキシモバイルノードに、上記ＭＴ ＩＤを含むメッセージを送信し、
上記移動先のＭＩＰのＦＡが存在する物理エンティティは、上記信任状を用いて、ＭＴ ＩＤに対応する上記モバイル端末のＭＩＰ登録または登録抹消を実施する。
【００１４】
好ましくは、上記アンカープロキシモバイルノードは、上記アンカープロキシモバイルノードから、上記ＭＴ ＩＤに対応する信任状を探索および取得し、
上記アンカープロキシモバイルノードは、上記信任状を用いて、上記ＭＴ ＩＤに対応する上記モバイル端末のＭＩＰ登録または登録抹消を実施する。
【００１５】
好ましくは、上記ＭＴ ＩＤを含む上記メッセージは、信任状を要求するメッセージであって、本方法はさらに以下を含んでいる。
【００１６】
上記アンカープロキシモバイルノードは、上記信任状を要求するメッセージを受信し、
上記アンカープロキシモバイルノードは、上記ＭＴ ＩＤに対応する上記信任状を探索し、
上記アンカープロキシモバイルノードは、上記移動先のＭＩＰのＦＡが存在する物理エンティティに、上記信任状を送信する。
【００１７】
好ましくは、上記信任状は、上記移動先のＭＩＰのＦＡが存在する物理エンティティと、上記アンカープロキシモバイルノードとの間で確立されたセキュリティチャンネル（security channel）を介して、上記移動先のＭＩＰのＦＡが存在する物理エンティティに送信される。
【００１８】
好ましくは、上記信任状を要求するメッセージは、さらに、トランザクションＩＤを含むものであって、本方法はさらに以下を含んでいる。
【００１９】
上記移動先のＭＩＰのＦＡが存在する物理エンティティは、上記信任状を要求するメッセージと、上記トランザクションＩＤとの対応関係を保存し、
上記アンカープロキシモバイルノードは、上記移動先のＭＩＰのＦＡが存在する物理エンティティに上記トランザクションＩＤを送信し、
上記移動先のＭＩＰのＦＡが存在する物理エンティティは、上記信任状を要求するメッセージと、上記トランザクションＩＤとの対応関係に基づいて、上記トランザクションＩＤに対応する上記信任状を要求するメッセージを探索し、
上記移動先のＭＩＰのＦＡが存在する物理エンティティは、上記信任状を要求するメッセージに基づいて、上記ＭＴ ＩＤを探索し、
上記移動先のＭＩＰのＦＡが存在する物理エンティティは、上記ＭＴ ＩＤに対応する上記信任状を決定する。
【００２０】
好ましくは、上記移動先のＭＩＰのＦＡが存在する物理エンティティが、上記アンカープロキシモバイルノードのアドレス情報を取得する方法は、以下を含む。
【００２１】
serving 基地局（ＢＳ）は、上記モバイル端末から送信される、上記ＭＴ ＩＤおよび移動先のＢＳの識別子を含むハンドオーバ要求を受信し、
上記serving ＢＳは、上記移動先のＢＳの識別子に対応する移動先のＢＳに、上記ＭＴ ＩＤ、および、上記アンカープロキシモバイルノードのアドレス情報を送信する。
【００２２】
そして、上記移動先のＢＳは、上記モバイル端末が上記移動先のＢＳに切り替わったことを示す通知であって、上記ＭＴ ＩＤ、および、上記アンカープロキシモバイルノードのアドレス情報を含む通知を、上記移動先のＭＩＰのＦＡが存在する物理エンティティに送信する。
【００２３】
そして、上記移動先のＭＩＰのＦＡが存在する物理エンティティは、上記通知から、上記ＭＴ ＩＤ、および、上記アンカープロキシモバイルノードのアドレス情報を取得する。
【００２４】
好ましくは、上記移動先のＭＩＰのＦＡが存在する物理エンティティが、上記アンカープロキシモバイルノードのアドレス情報を取得する方法は、以下を含む。
【００２５】
上記移動先のＢＳは、上記モバイル端末から送信される、上記ＭＴ ＩＤおよびserving ＢＳの識別子を含むレンジング（Ranging）要求を受信する。
【００２６】
そして、上記移動先のＢＳは、上記serving ＢＳの識別子に基づいて、該serving ＢＳに、上記アンカープロキシモバイルノードのアドレス情報の取得要求であって、上記ＭＴ ＩＤを含む該取得要求を送信する。
【００２７】
そして、上記serving ＢＳは、上記ＭＴ ＩＤに対応する上記アンカープロキシモバイルノードのアドレス情報を探索し、該アンカープロキシモバイルノードのアドレス情報を、上記移動先のＢＳに送信する。
【００２８】
そして、上記移動先のＢＳは、上記モバイル端末が上記移動先のＢＳに切り替わったことを示す通知であって、上記ＭＴ ＩＤおよび上記アンカープロキシモバイルノードのアドレス情報を含む通知を、上記移動先のＭＩＰのＦＡが存在する物理エンティティに送信する。
【００２９】
そして、上記移動先のＭＩＰのＦＡが存在する物理エンティティは、上記アンカープロキシモバイルノードのアドレス情報を取得する。
【００３０】
好ましくは、上記アンカープロキシモバイルノードおよびオーセンティケータが同一のエンティティに配置される。
【００３１】
そして、上記通知は、認証キー（ＡＫ）要求である。
【００３２】
そして、上記アンカープロキシモバイルノードのアドレス情報は、上記オーセンティケータのアドレス情報と同一である。
【００３３】
好ましくは、本方法はさらに以下を含む。
【００３４】
上記アンカープロキシモバイルノードは、上記モバイル端末の、移動元（home）serving ＭＩＰのＦＡが存在する物理エンティティ、または、上記移動先のＭＩＰのＦＡが存在する物理エンティティから送信される通知であって、上記ＭＩＰのＦＡが存在する物理エンティティが変更されたことを示し、上記ＭＴ ＩＤおよび上記移動先のＭＩＰのＦＡが存在する物理エンティティのアドレス情報を含む通知を受信する。
【００３５】
そして、上記アンカープロキシモバイルノードは、上記アンカープロキシモバイルノードのアドレス情報を、上記移動先のＭＩＰのＦＡが存在する物理エンティティに送信する。
【００３６】
モバイルインターネットプロトコル（ＭＩＰ）の登録または登録抹消を実施する、移動先のＭＩＰのフォーリンエージェント（ＦＡ）が存在する物理エンティティであって、
アンカープロキシモバイルノードのアドレス情報に基づいて、該アンカープロキシモバイルノードに、モバイル端末の識別子（ＭＴ ＩＤ）を含む信任状を要求するメッセージを送信する手段と、
上記アンカープロキシモバイルノードから受信した、上記ＭＴ ＩＤに対応する上記信任状を用いて、ＭＩＰ登録または登録抹消を実施する手段とを含む。
【００３７】
好ましくは、上記移動先のＭＩＰのＦＡが存在する物理エンティティは、さらに、
上記モバイル端末の、上記移動元のＭＩＰのＦＡが存在する物理エンティティが、上記移動先のＭＩＰのＦＡが存在する物理エンティティに切り替わったことを示す通知であって、上記ＭＴ ＩＤおよび上記移動先のＭＩＰのＦＡが存在する物理エンティティのアドレス情報を含む通知を送信する第１手段と、
上記アンカープロキシモバイルノードから送信された、上記アンカープロキシモバイルノードのアドレス情報を受信する第２手段とを含んでいる。
【００３８】
好ましくは、上記移動先のＭＩＰのＦＡが存在する物理エンティティは、移動先のＢＳから、上記ＭＴ ＩＤおよび上記アンカープロキシモバイルノードのアドレス情報を受信する第３手段をさらに含む。
【００３９】
モバイルインターネットプロトコル（ＭＩＰ）の登録または登録抹消を実施する、アンカープロキシモバイルノードであって、
移動先のＭＩＰのフォーリンエージェント（ＦＡ）が存在する物理エンティティから送信される、モバイル端末の識別子（ＭＴ ＩＤ）を通知するために用いられるメッセージを受信する第１手段と、
上記ＭＴ ＩＤに基づいて、上記アンカープロキシモバイルノードが保存している信任状を探索する第２手段と、
上記信任状を用いて、ＭＩＰ登録または登録抹消を実施する第３手段とを含む。
【００４０】
好ましくは、上記アンカープロキシモバイルノードは、上記モバイル端末の、移動元のＭＩＰのＦＡが存在する物理エンティティが変更されたことを示す通知であって、上記移動先のＭＩＰのＦＡが存在する物理エンティティから送信される通知を受信する第４手段と、
上記移動先のＭＩＰのＦＡが存在する物理エンティティに、上記アンカープロキシモバイルノードのアドレス情報を送信する第５手段とをさらに含む。
【００４１】
好ましくは、上記アンカープロキシモバイルノードは、モバイル端末の、移動元のＭＩＰのＦＡが存在する物理エンティティが変更されたことを示す通知であって、serving ＭＩＰのＦＡが存在する物理エンティティから送信され、上記ＭＴ ＩＤおよび上記移動先のＭＩＰのＦＡが存在する物理エンティティのアドレス情報を含む通知を受信する第６手段と、
上記通知に基づいて、上記移動先のＭＩＰのＦＡが存在する物理エンティティに、上記アンカープロキシモバイルノードのアドレス情報を送信する第７手段とをさらに含む。
【００４２】
従来方法と比較すると、本発明の解決策は以下のように実施される。移動先のＭＩＰのＦＡが存在する物理エンティティは、ＭＴ ＩＤおよびアンカープロキシモバイルノードのアドレス情報を取得し、上記ＭＴ ＩＤを含むメッセージを上記アンカープロキシモバイルノードに送信する。そして、上記移動先のＭＩＰのＦＡが存在する物理エンティティは、上記アンカープロキシモバイルノードから返信された信任状に基づいてＭＩＰ登録または登録抹消を開始する。上記に代わり、上記アンカープロキシモバイルノードは、自身が保存した上記信任状に基づいてＭＩＰ登録または登録抹消を開始してもよい。それゆえ、モバイル端末のＭＩＰクライアントに代わってＭＩＰ登録または登録抹消を開始するために用いられるエンティティが変更されたとき、ＭＩＰ登録または登録抹消が実施される。
【００４３】
〔発明を実施するための最良の形態〕
以下では、記述を省略するため、serving ＭＩＰのＦＡが存在する物理エンティティを「第１物理エンティティ」と称し、移動先のＭＩＰのＦＡが存在する物理エンティティを「第２物理エンティティ」と称し、モバイル端末の、移動元のＭＩＰのＦＡが存在する物理エンティティを「第３物理エンティティ」と称する。
【００４４】
本発明では、第２物理エンティティは、まず、第３物理エンティティが変更されたとき、アンカープロキシモバイルノードのアドレス情報を取得する。そして、第２物理エンティティは、アンカープロキシモバイルノードのアドレス情報に基づいて、アンカープロキシモバイルノードに、ＭＴ ＩＤを含むメッセージを送信する。ＭＴ ＩＤに対応するモバイル端末のＭＩＰ登録または登録抹消は、ＭＴ ＩＤを含むメッセージの関連情報に基づいて実施される。
【００４５】
より詳しくは、第３物理エンティティが変更されたとき、ＭＩＰ登録または登録抹消は、第２物理エンティティによって開始されるか、または、アンカープロキシモバイルノードによって開始される。図６、７および１０は、移動先のＭＩＰのＦＡが存在する物理エンティティによるＭＩＰ登録または登録抹消を開始する方法に係る実施例を示している。図８、９および１１は、アンカープロキシモバイルノードによるＭＩＰ登録または登録抹消を開始する方法に係る実施例を示している。
【００４６】
本発明に係る実施例を、図および実施例を参照しながら、以下に示す。
【００４７】
図５は、ＭＩＰ登録または登録抹消方法を説明するものである。該方法を以下に示す。
【００４８】
ステップ５０１では、第２物理エンティティが、ＭＴ ＩＤおよびアンカープロキシモバイルノードのアドレス情報を取得する。
【００４９】
ＭＩＰのＦＡが存在する物理エンティティの変更が、モバイル端末のＢＳハンドオーバにより生じている場合、第２物理エンティティは、移動先のＢＳから、ＭＴ ＩＤおよびアンカープロキシモバイルノードのアドレス情報を取得する。モバイル端末がハンドオーバ前にカバーされていたＢＳに対応する、第１物理エンティティ、および、モバイル端末の信任状を保存するために用いられるアンカープロキシモバイルノードが、同一のエンティティ内に配置される場合、アンカープロキシモバイルノードのアドレス情報は、第１物理エンティティのアドレス情報である。
【００５０】
ＭＩＰのＦＡが存在する物理エンティティの変更がリソース最適化によって生じている場合、ＭＩＰのＦＡが存在する物理エンティティは、アンカープロキシモバイルノードから、ＭＴ ＩＤおよびアンカープロキシモバイルノードのアドレス情報を取得する。
【００５１】
ステップ５０２では、第２物理エンティティが、受信したＭＴ ＩＤに対応するモバイル端末の信任状が保存されているか否かを検査する。第２物理エンティティが信任状を保存している場合、第２物理エンティティは、該信任状に基づいて、モバイル端末のＭＩＰ登録または登録抹消を実施し、現在の手続きを終了する。保存していなければ、ステップ５０３を実行する。
【００５２】
第２物理エンティティは、アンカープロキシモバイルノードから信任状を取得でき、モバイル端末の該信任状はアンカープロキシモバイルノードによって管理される。
【００５３】
ステップ５０２はオプションであり、ステップ５０３はステップ５０１の直後に実行することができる。
【００５４】
ステップ５０３では、第２物理エンティティが、アンカープロキシモバイルノードのアドレス情報に基づいて、アンカープロキシモバイルノードに、ＭＴ ＩＤを含むメッセージを送信する。
【００５５】
ステップ５０４では、ＭＴ ＩＤを含むメッセージ内の関連情報に基づいて、ＭＩＰ登録または登録抹消が実施される。該関連情報は、ＭＴ ＩＤまたはトランザクションＩＤを含むものである。
【００５６】
図６は、第３物理エンティティが、モバイル端末のＢＳハンドオーバによって変更されたときの、第２物理エンティティによる、ＭＩＰ登録または登録抹消の開始方法の実施例を説明するものである。本実施例では、モバイル加入者設備（ＭＳＳ）は、モバイル端末である。本方法を以下で詳細に説明する。
【００５７】
ステップ６０１では、第２物理エンティティが、ＭＳＳの識別子（ＭＳＳＩＤ）およびアンカープロキシモバイルノードのアドレス情報を受信する。ＭＳＳの識別子（ＭＳＳＩＤ）およびアンカープロキシモバイルノードのアドレス情報は、移動先のＢＳから送信される。
【００５８】
第２物理エンティティは、以下の２つの方法により、アンカープロキシモバイルノードのアドレス情報を取得する。
【００５９】
１つ目の方法：ＭＳＳは、モバイル端末がハンドオーバ前に接続していたserving ＢＳに対して、ＭＳＳＩＤおよびＢＳの識別子（ＢＳＩＤ）を含むハンドオーバ要求を送信する。serving ＢＳは、該ハンドオーバ要求を受信すると、ＭＳＳが切り替わる先の移動先のＢＳに、ＭＳＳＩＤおよびアンカープロキシモバイルノードのアドレス情報を含む、ハンドオーバを要求する旨のメッセージ（ハンドオーバ要求メッセージ）を送信する。移動先のＢＳは、serving ＢＳから送信されるハンドオーバ要求メッセージ、および、ＭＳＳから送信されるレンジング（ranging）要求（ＲＲ）を受信すると、移動先のＢＳの第２物理エンティティに、ＭＳＳが移動先のＢＳに切り替わったことを示す通知メッセージを送信する。該通知メッセージは、上記ハンドオーバ要求メッセージから取得したアンカープロキシモバイルノードのアドレス情報、および、ＭＳＳＩＤを含んでいる。
【００６０】
もう１つの方法：ＭＳＳが、直接、移動先のＢＳに、ハンドオーバを示すメッセージと、ＭＳＳＩＤと、serving ＢＳＩＤとを含むＲＲメッセージを送信する。移動先のＢＳは、ＲＲメッセージを受信すると、アンカープロキシモバイルノードのアドレス情報を取得する要求を、受信したserving ＢＳＩＤに基づいてserving ＢＳに送信する。該要求は、ＭＳＳＩＤを含む。serving ＢＳは、アンカープロキシモバイルノードのアドレス情報を取得する要求を受信すると、該要求に含まれるＭＳＳＩＤに対応するアンカープロキシモバイルノードのアドレス情報を探索し、移動先のＢＳに、アンカープロキシモバイルノードのアドレス情報を返信する。移動先のＢＳは、アンカープロキシモバイルノードのアドレス情報を受信すると、第２物理エンティティに、ＭＳＳが移動先のＢＳに切り替わったことを示す通知メッセージを送信する。該通知メッセージは、ＭＳＳＩＤおよびアンカープロキシモバイルノードのアドレス情報を含んでいる。
【００６１】
serving ＢＳは、ＭＳＳＩＤと、アンカープロキシモバイルノードのアドレス情報との間の関係を保存する。ＭＳＳＩＤは、serving ＢＳに管理されるＭＳＳの識別子である。
【００６２】
ステップ６０２では、第２物理エンティティが、受信したＭＳＳＩＤに対応するＭＳＳの信任状が保存されているか否かを検査する。第２物理エンティティが該信任状を保存している場合、第２物理エンティティは、該信任状に基づいてＭＳＳのＭＩＰ登録または登録抹消を実施し、手続きを終了する。第２物理エンティティが、該信任状を保存していない場合、ステップ６０３を実行する。
【００６３】
ステップ６０２はオプションであり、ステップ６０３はステップ６０１の直後に実行することができる。
【００６４】
ステップ６０３では、第２物理エンティティは、信任状を要求するメッセージであって、ＭＳＳＩＤを含むメッセージを、受信したアンカープロキシモバイルノードのアドレス情報に基づいて、アンカープロキシモバイルノードに送信する。
【００６５】
上記信任状を要求するメッセージは、さらに、専ら信任状を要求するメッセージであることを示すためのトランザクションＩＤを含んでもよい。この場合、第２物理エンティティは、信任状を要求するメッセージとトランザクションＩＤとの間の対応関係を保存する。
【００６６】
ステップ６０４では、アンカープロキシモバイルノードが、信任状を要求するメッセージを受信すると、信任状を要求するメッセージに含まれるＭＳＳＩＤに対応するＭＳＳの信任状を探索し、該信任状を含む信任状を送信する旨のメッセージ（信任状送信メッセージ）を、第２物理エンティティに送信する。
【００６７】
上記信任状送信メッセージは、アンカープロキシモバイルノードと第２物理エンティティとの間に確立されるセキュリティチャンネルを介して、第２物理エンティティに送信されてもよい。
【００６８】
信任状に対応するＭＳＳがいずれであるかを識別するために、上記信任状送信メッセージは、ＭＳＳＩＤを含んでいてもよい。しかしながら、上記信任状送信メッセージがトランザクションＩＤを含んでいる場合は、ＭＳＳＩＤを含まなくてもよい。なぜなら、第２物理エンティティが、トランザクションＩＤを含む信任状送信メッセージを受信した後、第２物理エンティティが、信任状送信メッセージに対応する、保存または送信された信任状を要求するメッセージを探索し、該信任状を要求するメッセージに含まれるＭＳＳＩＤに対応するＭＳＳを取得すればよいからである。
【００６９】
ステップ６０５では、信任状を含む信任状送信メッセージを受信すると、第２物理エンティティが、信任状に対応するＭＳＳＩＤを決定する。
【００７０】
ステップ６０６では、第２物理エンティティが、信任状に基づいて決定されたＭＳＳのＭＩＰ登録または登録抹消を実施する。
【００７１】
図７は、第３物理エンティティが、モバイル端末のＢＳハンドオーバによって変更されたときの、第２物理エンティティによる、ＭＩＰ登録または登録抹消の開始方法の他の実施例を説明するものである。本実施例では、ＭＳＳはモバイル端末である。アンカープロキシモバイルノードおよびオーセンティケータは、同一のエンティティ内に配置されている。本方法を以下で詳細に説明する。
【００７２】
ステップ７０１では、serving ＢＳから送信される、ＭＳＳＩＤおよびアドレス情報を受信すると、移動先のＢＳは、第２物理エンティティに、認証キー（ＡＫ）を要求するメッセージ（ＡＫ要求メッセージ）を送信する。ＡＫ要求メッセージは、ＭＳＳＩＤおよびアドレス情報を含んでいる。アドレス情報は、オーセンティケータまたはアンカープロキシモバイルノードのものである。
【００７３】
移動先のＢＳが、オーセンティケータまたはアンカープロキシモバイルノードのアドレス情報を取得する方法は、ステップ６０１にて説明した、移動先のＢＳが、アンカープロキシモバイルノードのアドレス情報を取得する方法と同じである。
【００７４】
ステップ７０２では、第２物理エンティティが、ＡＫ要求メッセージを受信すると、ＡＫ要求メッセージに含まれるＭＳＳＩＤに対応するＭＳＳのＡＫが保存されているか否かを検査する。第２物理エンティティが、上記ＭＳＳのＡＫを保存している場合、第２物理エンティティは、ＭＳＳの信任状を取得するための探索を行い、該信任状に基づいてＭＳＳのＭＩＰ登録または登録抹消を実施し、手続きを終了する。第２物理エンティティが、上記ＡＫを保存していない場合、ステップ７０３を実行する。
【００７５】
第２物理エンティティがＭＳＳのＡＫを保存している場合、ＭＳＳのプロキシモバイルノードが、ＢＳハンドオーバの間、変更されておらず、第２物理エンティティが、ＭＳＳの信任状を保存していることを確かめることができることを示している。第２物理エンティティがＭＳＳのＡＫを保存していない場合、ＭＳＳのプロキシモバイルノードが、ＢＳハンドオーバの間に変更されており、第２物理エンティティが、ＭＳＳの信任状を保存していないことを示している。
【００７６】
ステップ７０２はオプションである。
【００７７】
ステップ７０３では、第２物理エンティティが、ＡＫ要求メッセージに含まれるアドレス情報に基づいて、オーセンティケータまたはアンカープロキシモバイルノードに、信任状を要求するメッセージを送信する。第２物理エンティティは、オーセンティケータまたはアンカープロキシモバイルノードに対して、ＭＳＳの信任状を提供することを要求する。上記信任状を要求するメッセージは、ＭＳＳＩＤを含み、また、トランザクションＩＤを含んでもよい。
【００７８】
ステップ７０４では、オーセンティケータまたはアンカープロキシモバイルノードが、信任状を要求するメッセージを受信すると、信任状を要求するメッセージに含まれるＭＳＳＩＤに対応するＭＳＳの信任状を探索し、取得する。そして、第２物理エンティティに、確立されたセキュリティチャンネルを介して、信任状を含む信任状送信メッセージを送信する。該信任状送信メッセージは、ＭＳＳＩＤまたはトランザクションＩＤを含んでいる。
【００７９】
ステップ７０５では、移動先のＭＩＰのＦＡが存在する物理エンティティが、上記信任状送信メッセージを受信すると、該信任状送信メッセージに含まれる信任状に対応するＭＳＳＩＤを決定する。
【００８０】
ステップ７０６では、第２物理エンティティが、信任状に基づいてＭＳＳＩＤに対応するＭＳＳのＭＩＰ登録または登録抹消を実施する。
【００８１】
図８は、第３物理エンティティが、モバイル端末のＢＳハンドオーバによって変更されたときの、アンカープロキシモバイルノードによる、ＭＩＰ登録または登録抹消の開始方法の他の実施例を説明するものである。本実施例では、ＭＳＳはモバイル端末である。本方法を以下で詳細に説明する。
【００８２】
ステップ８０１では、第２物理エンティティが、移動先のＢＳから送信される、ＭＳＳＩＤおよびアンカープロキシモバイルノードのアドレス情報を受信する。
【００８３】
移動先のＭＩＰのＦＡが存在する物理エンティティが、アンカープロキシモバイルノードのアドレス情報を取得する方法は、ステップ６０１にて説明した方法と同じである。
【００８４】
ステップ８０２では、第２物理エンティティが、上記受信したＭＳＳＩＤに対応するＭＳＳの信任状を保存しているか否かを検査する。第２物理エンティティが、ＭＳＳの信任状を保存している場合、第２物理エンティティは、信任状に基づいてＭＳＳのＭＩＰ登録または登録抹消を実施し、この手続きを終了する。第２物理エンティティが、ＭＳＳの信任状を保存していない場合、ステップ８０３を実行する。
【００８５】
ステップ８０２は、オプションである。
【００８６】
ステップ８０３では、移動先のＭＩＰのＦＡが存在する物理エンティティが、ＭＩＰ登録または登録抹消の開始を要求するメッセージを、上記受信したアンカープロキシモバイルノードのアドレス情報に基づいて、アンカープロキシモバイルノードに送信する。上記要求メッセージは、ＭＳＳＩＤおよびトランザクションＩＤを含んでいてもよい。
【００８７】
ステップ８０４では、上記ＭＩＰ登録または登録抹消の開始を要求するメッセージを受信すると、アンカープロキシモバイルノードが、上記要求メッセージに含まれるＭＳＳＩＤに対応するＭＳＳの信任状を探索し、取得する。そして、該信任状に基づいて、ＭＳＳＩＤに対応するＭＳＳのＭＩＰ登録または登録抹消を実施する。
【００８８】
図９は、第３物理エンティティが、モバイル端末のＢＳハンドオーバによって変更されたときの、アンカープロキシモバイルノードによる、ＭＩＰ登録または登録抹消の開始方法の他の実施例を説明するものである。本実施例では、ＭＳＳはモバイル端末である。アンカープロキシモバイルノードおよびオーセンティケータは、同一のエンティティ内に配置されている。本方法を以下で詳細に説明する。
【００８９】
ステップ９０１では、serving ＢＳから送信されたＭＳＳＩＤおよびアドレス情報を受信すると、移動先のＢＳが、移動先のＢＳの第２物理エンティティティに、認証キー（ＡＫ）要求メッセージを送信する。ＡＫ要求メッセージは、アドレス情報およびＭＳＳＩＤを含んでいる。アドレス情報は、オーセンティケータまたはアンカープロキシモバイルノードのものである。
【００９０】
移動先のＢＳが、オーセンティケータまたはアンカープロキシモバイルノードのアドレス情報を取得する方法は、ステップ６０１にて説明した、移動先のＢＳが、アンカープロキシモバイルノードのアドレス情報を取得する方法と同じである。
【００９１】
ステップ９０２では、第２物理エンティティが、ＡＫ要求メッセージを受信すると、ＡＫ要求メッセージに含まれるＭＳＳＩＤに対応するＭＳＳのＡＫを保存しているか否かを検査する。第２物理エンティティが、上記ＭＳＳのＡＫを保存している場合、移動先のＭＩＰのＦＡが存在する物理エンティティは、ＭＳＳの信任状を探索および取得し、信任状に基づいて、ＭＳＳのＭＩＰ登録または登録抹消を実施し、手続きを終了する。第２物理エンティティが、上記ＭＳＳのＡＫを保存していない場合、ステップ９０３を実行する。
【００９２】
ステップ９０３では、第２物理エンティティが、上記受信したアドレス情報に基づいて、ＭＩＰ登録または登録抹消の開始を要求するメッセージを、オーセンティケータまたはアンカープロキシモバイルノードに送信する。ＭＩＰ登録または登録抹消の開始を要求するメッセージは、ＭＳＳＩＤを含んでおり、また、トランザクションＩＤを含んでいてもよい。
【００９３】
ステップ９０４では、アンカープロキシモバイルノードが、ＭＩＰ登録または登録抹消の開始を要求するメッセージを受信すると、ＭＩＰ登録または登録抹消の開始を要求するメッセージに含まれるＭＳＳＩＤに対応するＭＳＳの信任状を探索し、取得する。そして、該信任状に基づいて、ＭＳＳＩＤに対応するＭＳＳのＭＩＰ登録または登録抹消を実施する。
【００９４】
図１０は、第３物理エンティティが変更されたが、モバイル端末のＢＳハンドオーバはされていないときの、第２物理エンティティティによる、ＭＩＰ登録または登録抹消の開始方法の他の実施例を説明するものである。本実施例では、本方法を以下で詳細に説明する。
【００９５】
ステップ１００１では、第２物理エンティティティが、アンカープロキシモバイルノードから送信された、ＭＳＳＩＤおよびアンカープロキシモバイルノードのアドレス情報を受信する。
【００９６】
第３物理エンティティが変更されたことを、第１物理エンティティ、または、第２物理エンティティから知らされた後、アンカープロキシモバイルノードが、ＭＳＳＩＤおよび自身のアドレス情報を、第２物理エンティティに送信する。
【００９７】
例えば、ＢＳが、ＭＩＰのＦＡが存在する物理エンティティ１と、直接接続されている場合、物理エンティティ１は、ＭＩＰのＦＡが存在する物理エンティティ２を介して、ＨＡと接続し、ＢＳは現在のところＭＳＳと接続する。物理エンティティ２が、ＭＳＳのＨＡへのＭＩＰ登録または登録抹消を開始する。そして、物理エンティティ１が、リソース最適化のために、直接ＨＡに接続してもよい。この場合、物理エンティティ２または物理エンティティ１が、第３物理エンティティが変更されたことを、アンカープロキシモバイルノードに通知する。物理エンティティ２または物理エンティティ１が、ＭＳＳＩＤ、および、変更された第２物理エンティティのアドレス情報、つまり、ＭＩＰのＦＡが存在する物理エンティティ１のアドレス情報を、アンカープロキシモバイルノードに通知する。該通知を受信すると、アンカープロキシモバイルノードは、ＭＳＳＩＤ、および、自身のアドレス情報を、第２物理エンティティ、つまり、ＭＩＰのＦＡが存在する物理エンティティ１に送信する。
【００９８】
ステップ１００２〜１００６は、ステップ６０２〜６０６と同じである。
【００９９】
図１１は、第３物理エンティティが、モバイル端末のＢＳハンドオーバを伴わずに変更されたときの、アンカープロキシモバイルノードによる、ＭＩＰ登録または登録抹消の開始方法の実施例を説明するものである。本実施例では、本方法を以下で詳細に説明する。
【０１００】
ステップ１１０１は、ステップ１００１と同じである。
【０１０１】
ステップ１１０２〜１１０４は、ステップ８０２〜８０４と同じである。
【０１０２】
図１２は、第２物理エンティティによる、ＭＩＰ登録または登録抹消を開始する、第２物理エンティティ１２１、および、アンカープロキシモバイルノード１２２を主に含むシステムを説明するものである。
【０１０３】
第２物理エンティティ１２１は、ＭＴ ＩＤを含む信任状を要求するメッセージを、取得されたアンカープロキシモバイルノード１２２のアドレス情報に基づいて、アンカープロキシモバイルノード１２２に送信するように構成されており、アンカープロキシモバイルノード１２２から送信される信任状に基づいて、ＭＴ ＩＤに対応するモバイル端末のＭＩＰ登録または登録抹消を実施する。
【０１０４】
第２物理エンティティ１２１は、さらに、第３物理エンティティが第２物理エンティティ１２１に変更されたことを検出したとき、第３物理エンティティが変更されたことを示す通知を、アンカープロキシモバイルノード１２２に送信するように構成されている。該通知は、ＭＴ ＩＤおよび移動先のＭＩＰのＦＡが存在する物理エンティティ１２１のアドレス情報を含んでいる。
【０１０５】
アンカープロキシモバイルノード１２２は、ＭＴ ＩＤと信任状との間の対応関係を保存し、第２物理エンティティ１２１から送信される信任状を要求するメッセージを受信すると、該信任状を要求するメッセージに含まれるＭＴ ＩＤに対応する信任状を探索し、該信任状を第２物理エンティティ１２１に送信するように構成されている。
【０１０６】
アンカープロキシモバイルノード１２２は、さらに、第３物理エンティティが変更されたことを示す通知を受信すると、第２物理エンティティ１２１に、自身のアドレス情報を送信するように構成されている。該通知は、第２物理エンティティ１２１から送信される。
【０１０７】
図１３は、第２物理エンティティによって、ＭＩＰ登録または登録抹消を開始するシステムの実施例を説明するものである。図１３に示すように、図１２に示した実施例と比較すると、本実施例のシステムは、さらに、第２物理エンティティ１２１に、ＭＴ ＩＤおよびアンカープロキシモバイルノード１２２のアドレス情報を送信するための、移動先のＢＳ１２０を含んでいる。
【０１０８】
図１４は、第２物理エンティティによって、ＭＩＰ登録または登録抹消を開始するシステムの実施例を説明するものである。図１４に示すように、図１２に示した実施例と比較すると、本実施例のシステムは、さらに、第１物理エンティティ１２３を含んでいる。第１物理エンティティ１２３は、第３物理エンティティの変更が検出されたことが検出されたとき、第３物理エンティティが変更されたことを示す通知を、アンカープロキシモバイルノード１２２に送信するように構成されている。該通知は、ＭＴ ＩＤおよび第２物理エンティティ１２１のアドレス情報を含んでいる。
【０１０９】
加えて、アンカープロキシモバイルノード１２２は、さらに、第３物理エンティティが変更されたことを示す通知を受信した後、該通知に含まれる、第２物理エンティティ１２１のアドレス情報に基づいて、第２物理エンティティ１２１に、自身のアドレス情報を送信するように構成されている。該通知は、第１物理エンティティ１２３から送信される。
【０１１０】
図１５は、本発明に係るＭＩＰ登録または登録抹消を開始するシステムを説明するものである。図１５に示すように、本システムは、主に、第２物理エンティティ１５１、および、アンカープロキシモバイルノード１５２を含んでいる。
【０１１１】
第２物理エンティティ１５１は、ＭＴ ＩＤを含む、ＭＩＰ登録または登録抹消の開始を要求するメッセージを、取得されたアンカープロキシモバイルノード１５２のアドレス情報に基づいて、アンカープロキシモバイルノード１５２に送信するように構成されている。
【０１１２】
第２物理エンティティ１５１は、さらに、第３物理エンティティが第２物理エンティティ１５１に変更されたことが検出された後、第３物理エンティティが変更されたことを示す通知を、アンカープロキシモバイルノード１５２に送信するように構成されている。該通知は、ＭＴ ＩＤおよび第２物理エンティティ１５１のアドレス情報を含んでいる。
【０１１３】
アンカープロキシモバイルノード１５２は、ＭＴ ＩＤと信任状との間の対応関係を保存し、第２物理エンティティ１５１から送信されるＭＩＰ登録または登録抹消の開始を要求するメッセージを受信した後、該要求メッセージに含まれるＭＴ ＩＤに対応する信任状を探索し、該信任状に基づいて、第２物理エンティティ１５１から送信されるＭＴ ＩＤに対応するモバイル端末のＭＩＰ登録または登録抹消を実施する。
【０１１４】
アンカープロキシモバイルノード１５２は、さらに、第２物理エンティティ１５１が変更されたことを示す通知を受信すると、第２物理エンティティ１５１に、自身のアドレス情報を送信するように構成されている。該通知は、第２物理エンティティ１５１から送信される。
【０１１５】
図１６は、アンカープロキシモバイルノードによって、ＭＩＰ登録または登録抹消を開始するシステムの実施例を説明するものである。図１６に示すように、図１５に示した実施例と比較すると、本実施例のシステムは、さらに、移動先のＢＳ１５０を含んでいる。デスティネーショＢＳ１５０は、第２物理エンティティ１５１に、ＭＴ ＩＤおよびアンカープロキシモバイルノード１５２のアドレス情報を送信するように構成されている。
【０１１６】
図１７は、アンカープロキシモバイルノードによって、登録または登録抹消を開始するシステムの実施例を説明するものである。図１７に示すように、図１５に示した実施例と比較すると、本実施例のシステムは、さらに、第１物理エンティティ１５３を含んでいる。第１物理エンティティ１５３は、第３物理エンティティが変更されたことが検出された後、第３物理エンティティが変更されたことを示す通知を、アンカープロキシモバイルノード１５２に送信するように構成されている。該通知は、ＭＴ ＩＤおよび第２物理エンティティ１５１のアドレス情報を含んでいる。
【０１１７】
加えて、アンカープロキシモバイルノード１５２は、さらに、モバイル端末の、移動元のＭＩＰのＦＡが存在する物理エンティティが変更されたことを示す通知を受信した後、該通知に含まれる第２物理エンティティ１５１のアドレス情報に基づいて、第２物理エンティティ１５１に、自身のアドレス情報を送信するように構成されている。該通知は、第１物理エンティティ１５３から送信される。
【０１１８】
好ましい実施例について、本開示に係る図面および記述を与えたが、添付の請求項にて定義される本発明の精神および範囲を逸脱することなく、様々な形式上の変更や詳細化がなされ得ることは、当業者に認識されるべきものである。
【図面の簡単な説明】
【０１１９】
【図１】集中型ＷＩＭＡＸネットワークアーキテクチャにおける、ＢＳとプロキシモバイルノードとの間の関係を示す概略図である。
【図２】集中型ＷＩＭＡＸネットワークアーキテクチャにおける、ＢＳとプロキシモバイルノードとの間の他の関係を示す概略図である。
【図３】分散型ＷＩＭＡＸネットワークアーキテクチャにおける、ＢＳとプロキシモバイルノードとの間の関係を示す概略図である。
【図４】モバイル端末のプロキシモバイルノードは変更されたが、モバイル端末のＢＳハンドオーバはされていない様子を示す概略図である。
【図５】本発明に係る、ＭＩＰ登録または登録抹消の方法を表すフローチャートである。
【図６】モバイル端末の、移動元のＭＩＰのＦＡが、モバイル端末のＢＳハンドオーバによって変更されたときの、移動先のＭＩＰのＦＡが存在する物理エンティティによる、ＭＩＰ登録または登録抹消の開始方法の実施例を表すフローチャートである。
【図７】モバイル端末の、移動元のＭＩＰのＦＡが、モバイル端末のＢＳハンドオーバによって変更されたときの、移動先のＭＩＰのＦＡが存在する物理エンティティによる、ＭＩＰ登録または登録抹消の開始方法の他の実施例を表すフローチャートである。
【図８】モバイル端末の、移動元のＭＩＰのＦＡが、モバイル端末のＢＳハンドオーバによって変更されたときの、アンカープロキシモバイルノードによる、ＭＩＰ登録または登録抹消の開始方法の他の実施例を表すフローチャートである。
【図９】モバイル端末の、移動元のＭＩＰのＦＡが、モバイル端末のＢＳハンドオーバによって変更されたときの、アンカープロキシモバイルノードによる、ＭＩＰ登録または登録抹消の開始方法の他の実施例を表すフローチャートである。
【図１０】モバイル端末のＢＳハンドオーバを伴わず、モバイル端末の、移動元のＭＩＰのＦＡが変更されたときの、移動先のＭＩＰのＦＡが存在する物理エンティティによる、ＭＩＰ登録または登録抹消の開始方法の他の実施例を表すフローチャートである。
【図１１】モバイル端末のＢＳハンドオーバを伴わず、モバイル端末の、移動元のＭＩＰのＦＡが変更されたときの、アンカープロキシモバイルノードによる、ＭＩＰ登録または登録抹消の開始方法の他の実施例を表すフローチャートである。
【図１２】本発明に係る、移動先のＭＩＰのＦＡが存在する物理エンティティによる、ＭＩＰ登録または登録抹消を開始するシステムのブロック図である。
【図１３】図６に示した方法に基づいたシステムのブロック図である。
【図１４】図７に示した方法に基づいたシステムのブロック図である。
【図１５】本発明に係る、アンカープロキシモバイルノードによる、ＭＩＰ登録または登録抹消を開始するシステムのブロック図である。
【図１６】図８に示した方法に基づいたシステムのブロック図である。
【図１７】図９に示した方法に基づいたシステムのブロック図である。
【国際調査報告】
2009505534.tif 000020
2009505534.tif 000021
2009505534.tif 000022
2009505534.tif 000023